(57)【要約】  トレイコンベヤであって、埋設されたトランスレータの列を有するプラスチックトレイがステータによって駆動される。コンベヤのリターン経路にある空のトレイを自動的に清掃するために、清掃ゾーンに洗浄ステーションが設けられている。【選択図】図４９
2019536710.tif 000002
【特許請求の範囲】
【請求項１】
コンベヤシステムにおいて、
複数のコンベヤセクションであって、各コンベヤセクションが、
当該コンベヤセクションの後端から前端までの長さと、前記コンベヤセクションの左側から右側までの幅とに延在するトレイガイドと、
前記後端と前端との間で前記トレイガイドを通って長さ方向に延びる少なくとも１つのリニアステータとを具えるコンベヤセクションと、
コンベヤトレイを前記トレイガイドに沿って搬送方向に駆動するために、前記少なくとも１つのリニアステータと共にリニアモータを形成する少なくとも１つのトランスレータを有する複数のコンベヤトレイとを具え、
前記複数のコンベヤセクションは、前記トレイが物品を搬送し得る搬送路と、空のトレイが前記搬送路に戻る戻り路とを形成するように構成され、前記コンベヤシステムは、前記戻り路に沿って前記トレイを清掃するための１またはそれ以上の清掃ゾーンを有することを特徴とするコンベヤシステム。
【請求項２】
請求項１のコンベヤシステムにおいて、前記１またはそれ以上の清掃ゾーンのうちの少なくとも１つが、トレイが清掃される自動清掃エンクロージャを含むことを特徴とするコンベヤシステム。
【請求項３】
請求項１のコンベヤシステムにおいて、前記トレイガイドに沿って移動して前記複数のコンベヤセクションを清掃するスクラバをさらに具えることを特徴とするコンベヤシステム。
【請求項４】
コンベヤシステムにおいて、
複数のコンベヤセクションであって、
前記コンベヤセクションの後端部から前端部までの長さと、前記コンベヤセクションの左側部から右側部までの幅とに延在するトレイガイドと、
前記後端部と前端部との間で前記トレイガイドを通って長さ方向に延びる左側リニアステータと、
前記後端部と前端部との間で前記トレイガイドを通って長さ方向に延びる右側リニアステータとを具え、
前記左側リニアステータは前記左側部に近く、前記右側リニアステータは前記右側部に近い、コンベヤセクションと、
搬送方向に前記トレイガイドに沿ってコンベヤトレイを駆動するために前記左側および右側のリニアステータと共にリニアモータを形成するトランスレータを有する複数のコンベヤトレイと、を具えることを特徴とするコンベヤシステム。
【請求項５】
請求項４に記載のコンベヤシステムにおいて、
１またはそれ以上のキャリッジであって、各々が、
当該キャリッジの後端部から前端部までの長さと、前記キャリッジの左側部から右側部までの幅とに延在するキャリッジトレイガイドと、
前記キャリッジトレイガイドの後端部と前端部との間で前記キャリッジトレイガイドを通って長さ方向に延びる左側のキャリッジリニアステータと、
前記キャリッジトレイガイドの後端部と前端部との間で前記キャリッジトレイガイドを通って長さ方向に延びる右側のキャリッジリニアステータとを具え、
前記左側のキャリッジリニアステータは前記キャリッジトレイガイドの左側部に近く、前記右側のキャリッジリニアステータは前記キャリッジトレイガイドの右側部に近く、    前記キャリッジの後端部にある後部トランスレータと、
前記キャリッジの前端部にある前部トランスレータと、
を具えるキャリッジと、
搬送方向に対して垂直に延びる一対の平行なガイドトラックであって、各ガイドトラックは、１またはそれ以上のキャリッジの前後のトランスレータの搬送方向に対して垂直なガイド経路を形成し、１またはそれ以上のキャリッジを前記ガイド経路に沿って並進させるリニアステータを有するガイドトラックとを具え、
前記コンベヤセクションは、空間を横切って互いに水平方向または垂直方向にオフセットしており、
前記一対の平行なガイドトラックは、オフセットされたコンベヤセクション間の空間内に配置され、前記キャリッジを、前記コンベヤセクションうちの１つとの整列から前記コンベヤセクションの別の１つまたはそれ以上へと前記ガイド経路に沿ってすることを特徴とするコンベヤシステム。
【請求項６】
請求項５に記載のコンベヤシステムにおいて、水平ガイド経路を形成する一対の水平平行トラックと、垂直ガイド経路を形成する一対の垂直平行トラックとを具え、前記１またはそれ以上のキャリッジのそれぞれの前部および後部トランスレータはそれぞれ、前記垂直または水平トラックに沿って前記キャリッジを案内する垂直トランスレータと水平トランスレータとを具えることを特徴とするコンベヤシステム。
【請求項７】
請求項６に記載のコンベヤシステムにおいて、さらに、
垂直リニアステータと垂直ガイドトラックとを有するエレベータと、
コンベヤトレイ用のキャリッジであって、
当該キャリッジの後端部から前端部の長さと、前記キャリッジの左側部から右側部への幅とに延在するキャリッジトレイガイドと、
前記キャリッジトレイガイドの後端部と前端部との間で前記キャリッジトレイガイドを通って長さ方向に延びる左側のキャリッジリニアステータと、
前記キャリッジトレイガイドの後端部と前端部との間で前記キャリッジトレイガイドを通って長さ方向に延びる右側のキャリッジリニアステータとを具え、
前記左側のキャリッジリニアステータは前記キャリッジトレイガイドの左側寄りであり、前記右側のキャリッジリニアステータはキャリッジトレイガイドの右側寄りであり、
前記キャリッジの後端部にある後部トランスレータと、
前記キャリッジの前端部にある前部トランスレータと、を具えるキャリッジとを具え、
前記垂直リニアステータは、前後のトランスレータと共にリニアモータを形成して、前記キャリッジガイドの頂部が前記コンベヤセクションのトレイガイドの頂部の下方にある下方位置と、前記キャリッジガイドの頂部が前記コンベヤセクションのトレイガイドの頂部の上方にある上方位置との間で、前記垂直ガイドトラックに沿って前記コンベヤトレイのうちの１つを支持するキャリッジを移動させることを特徴とするコンベヤシステム。
【請求項８】
請求項７に記載のコンベヤシステムにおいて、前記コンベヤトレイがさらに、前記コンベヤトレイを前記搬送方向に対して垂直に駆動するために前記左側および右側リニアステータと共にリニアモータを形成する第２のトランスレータを具えることを特徴とするコンベヤシステム。
【請求項９】
請求項４に記載のコンベヤシステムにおいて、前記コンベヤセクションが互いに水平方向または垂直方向にオフセットされていることを特徴とするコンベヤシステム。
【請求項１０】
請求項９に記載のコンベヤシステムにおいて、複数のエレベータセクションを具え、前記複数のコンベヤセクションは、互いに垂直方向にオフセットされた連続するコンベヤセクションの四辺の四角形のスパイラルを形成するように配置され、１のコンベヤセクションから次の連続するコンベヤセクションへキャリッジを昇降させるために、前記エレベータセクションのうちの１つと前記キャリッジのうちの１つとが、前記四角形のスパイラルの各コーナーに配置されていることを特徴とするコンベヤシステム。
【請求項１１】
請求項５に記載のコンベヤシステムにおいて、前記複数のコンベヤセクションは、スタック内で互いに垂直方向にオフセットして配置され、前記複数のコンベヤセクションは、前記コンベヤセクションのスタックの端部にキャリッジ用の一対の平行な垂直トラックを有し、前記スタック内の１のコンベヤセクションから別のコンベヤセクションへと前記キャリッジを上下させることを特徴とするコンベヤシステム。
【請求項１２】
請求項５に記載のコンベヤシステムにおいて、前記複数のコンベヤセクションは、空間を隔てて離間して配置された供給コンベヤセクションと複数の排出コンベヤセクションとを具えて構成され、前記複数のコンベヤセクションは、前記供給コンベヤセクションと各排出コンベヤセクションとの整列間でキャリッジが移動するための、前記空間内に一対の平行な水平トラックを有することを特徴とするコンベヤシステム。
【請求項１３】
請求項５に記載のコンベヤシステムにおいて、前記複数のコンベヤセクションは、空間を隔てて離間して配置された複数の平行な供給コンベヤセクションと単一の排出コンベヤセクションとを具えて構成され、前記複数のコンベヤセクションは、前記供給コンベヤセクションと排出コンベヤセクションとの整列間でキャリッジが移動するための、前記空間内に一対の平行な水平トラックを有することを特徴とするコンベヤシステム。
【請求項１４】
請求項５に記載のコンベヤシステムにおいて、前記複数のコンベヤセクションは、一対の横並びの供給コンベヤセクションと、前記供給コンベヤセクションから空間を隔てて離間した複数の平行な排出コンベヤセクションとを有して構成され、前記複数のコンベヤセクションは、前記供給コンベヤセクションと前記排出コンベヤセクションとの整列間でキャリッジが移動するための、前記空間内に一対の平行な水平トラックを有することを特徴とするコンベヤシステム。
【請求項１５】
請求項４に記載のコンベヤシステムにおいて、
キャリッジであって、
前記キャリッジの後端部から前端部への長さと、前記キャリッジの左側部から右側部への幅と二延在するキャリッジトレイガイドと、
前記キャリッジトレイガイドの後端部と前端部との間で前記キャリッジトレイガイドを通って長さ方向に延びる左側のキャリッジリニアステータと、
前記キャリッジトレイガイドの後端部と前端部との間で前記キャリッジトレイガイドを通って長さ方向に延びる右側のキャリッジリニアステータとを具え、
前記左側のキャリッジリニアステータは前記キャリッジトレイガイドの左側寄りであり、前記右側のキャリッジリニアステータはキャリッジトレイガイドの右側寄りであり、
前記キャリッジの後端部にある後部トランスレータと、
前記キャリッジの前端部にある後部トランスレータと、を具えるキャリッジと、
下段に端部を有する第１の下側コンベヤセクションと、
前記第１の下側コンベヤセクションの端部から前記下段の空間を隔てて離間した端部を有するように整列されている第２の下側コンベヤセクションと、
前記第１の下側コンベヤセクションと平行でその上方の上段に位置し、前記第１の下側コンベヤセクションの端部の真上の端部で終端する上側コンベヤセクションと、
前記第１および第２の下側コンベヤセクションの間の空間に配置され、前記キャリッジトレイが前記第１および第２の下側コンベヤセクションと整列する下側位置と、前記キャリッジトレイが前記上側コンベヤセクションと整列する上方位置との間で前記キャリッジを移動させる垂直リニアステータおよび垂直ガイドトラックを具えるエレベータと、
を具え、
前記第１の下側コンベヤセクション上の下側コンベヤトレイは、前記上側コンベヤトレイが前記上側コンベヤセクションの端部から離れて前記下側コンベヤトレイ上へと移送されるときに、前記第１の下側コンベヤセクションから第２の下側コンベヤセクションへ通過する際に、前記上側コンベヤトレイが前記下側コンベヤトレイのカバーとして機能するように、前記キャリッジが下方位置にある状態で、前記上側コンベヤトレイを支持するための直立壁を有することを特徴とするコンベヤシステム。
【請求項１６】
請求項１５に記載のコンベヤシステムにおいて、前記下方位置で前記第２の下側コンベヤセクションから前記第１の下側コンベヤセクションへと前記キャリッジ上を通過する前記下側コンベヤトレイのカバーとして機能する前記上側コンベヤトレイは、前記下側コンベヤトレイが前記キャリッジを通過した後、前記キャリッジが上側位置に移動されるときに、前記上側コンベヤセクションの端部によって拘束され、前記キャリッジ上に着地するために前進する下側コンベヤトレイから剥がされ、前記キャリッジから前記上側コンベヤセクションへと移動されることを特徴とするコンベヤシステム。
【請求項１７】
請求項５に記載のコンベヤシステムにおいて、前記複数のコンベヤセクションは、少なくとも１つの供給コンベヤセクションと、前記少なくとも１つの供給コンベヤから空間を隔てて垂直に積み重ねられたコンベヤセクションの複数の水平にオフセットされた列に配置された複数の平衡な蓄積コンベヤセクションとを具え、前記複数のコンベヤセクションは、前記空間内に、少なくとも１つのキャリッジが、前記少なくとも１つの供給コンベヤセクションと蓄積コンベヤセクションとの整列間を移動するための、少なくとも一対の平行な水平トラックを有することを特徴とするコンベヤシステム。
【請求項１８】
請求項４に記載のコンベヤシステムにおいて、
第１の端部から第２の端部まで長さ方向に延びる第１のコンベヤセクションと、
第１の端部から第２の端部まで長さ方向に延びる第２のコンベヤセクションであって、
前記第１の端部にて、第１のギャップを隔てて前記第１のコンベヤセクションの第１の端部と整列している第１の端部部分と、
前記第２の端部にて、第２のギャップを隔てて前記第１のコンベヤセクションの第２の端部と整列している第２の端部部分と、
前記第１のコンベヤセクションの真下に配置され、前記第１および第２の端部部分の間に接続された湾曲した中間部分と、を有する第２のコンベヤセクションとを具えることを特徴とするコンベヤシステム。
【請求項１９】
請求項４に記載のコンベヤシステムにおいて、
第１の端部から第２の端部まで長さ方向に延びる第１のコンベヤセクションと、
前記第１のコンベヤセクションの長さに対して斜めに逸れた角度に沿って第１の端部から第２の端部までの長さ方向に延びる第２のコンベヤセクションであって、前記第１のコンベヤセクションの第２の端部は、前記第２のコンベヤセクションの第１の端部からギャップを隔てて離間している、第２のコンベヤセクションと、
第１の端部から第２の端部まで長さ方向に延び、前記ギャップを横切って前記第１のコンベヤセクションと整列する第３のコンベヤセクションと、
ここで前記第１、第２、第３コンベヤのそれぞれは、搬送方向の左側に沿って延びる左側レールと、搬送方向の右側に沿って延びる右側レールとを有し、
前記ギャップ内に配置された方向転換器であって、
円形トラックと、
第１のレールアセンブリであって、
前記方向転換器の第１の側に沿って長さ方向に延びる第１のレールと、
前記第１のレール内に埋設され、前記第１のレールに沿って長さ方向に延びる第１のリニアステータと、
前記第１のレールに取り付けられ、前記第１のリニアステータに電気的に接続されている第１のトランスレータと
を具える第１のレールアセンブリと、
第２のレールアセンブリであって、
前記第１の側とは反対側の前記方向転換器の第２の側に沿って長さ方向に延びる第２のレールと、
前記第２のレール内に埋設され、前記第２のレールに沿って長さ方向に延びる第２のリニアステータと、
前記第２のレールに取り付けられ、前記第２のリニアトランスレータに電気的に接続されている第２のトランスレータと
を具える第２のレールアセンブリとを具え、
前記第１および第２のレールアセンブリは前記円形トラックに乗っており、
前記円形トラック内部で方向転換器を横切って正反対の位置にある第１および第２の固定された湾曲ステータであって、各々が、方向転換角度以上の角度を成す湾曲ステータと
を具える方向転換器と、を具え、
前記第１および第２の湾曲ステータが作動すると、前記第１および第２のトランスレータが励起され、前記レールアセンブリを前記円形トラックに沿って、前記第１のレールおよび第２のレールが前記左側レールおよび右側レールと整列する第１の位置と、前記第１のレールおよび第２のレールが前記第２のコンベヤセクションの左側レールおよび右側レールと整列する第２の位置との間で移動させることを特徴とするコンベヤシステム。
【請求項２０】
請求項４に記載のコンベヤシステムにおいて、さらに、
第１の垂直リニアステータおよび上りガイド経路を規定する第１の垂直ガイドトラックと、第２の垂直リニアステータおよび前記上りガイド経路に隣接する下りガイド経路を規定する第２の垂直ガイドトラックとを含むエレベータと、
キャリッジであって、
当該キャリッジの後端部から前端部までの長さと、前記キャリッジの左側部から右側部までの幅とに延在するキャリッジトレイガイドと、
前記キャリッジトレイガイドの後端部と前端部との間で前記キャリッジトレイガイドを通って長さ方向に延びる左側のキャリッジリニアステータと、
前記キャリッジトレイガイドの後端部と前端部との間で前記キャリッジトレイガイドを通って長さ方向に延びる右側のキャリッジリニアステータと、
ここで、前記左側のキャリッジリニアステータは前記キャリッジトレイガイドの左側寄りであり、前記右側のキャリッジリニアステータは前記キャリッジトレイガイドの右側寄りであり、
前記キャリッジの後端部にある後部トランスレータと、
前記キャリッジの前端部にある前部トランスレータと、
を具えるキャリッジとを具え、
前記第１の垂直リニアステータは前部および後部トランスレータと共にリニアモータを形成して、前記キャリッジを前記第１の垂直ガイドトラックに沿って下のレベルから上のレベルに上方に移動させ、前記第２の垂直リニアステータは前記前部および後部トランスレータと共にリニアモータを形成して、前記キャリッジを前記第２の垂直ガイドトラックに沿って上のレベルから下のレベルへと下方に移動させることを特徴とするコンベヤシステム。
【請求項２１】
請求項２０に記載のコンベヤシステムにおいて、前記エレベータがさらに、
前記前部または後部トランスレータのうちの一方から電力を受け取るように接続され、前記トランスレータの作動時に前記第１および第２の垂直ガイドトラック内の金属を引き付けるブレーキ位置で動作可能な磁気ブレーキを具えることを特徴とするコンベヤシステム。
【請求項２２】
請求項２０に記載のコンベヤシステムにおいて、前記エレベータは、
前記上のレベルにて前記上りガイド経路から前記下りガイド経路へ延びる上側ガイド経路を規定する第１の水平リニアステータおよび第１の水平ガイドトラックと、
前記下のレベルにて前記下りガイド経路から前記上りガイド経路へ延びる下側ガイド経路を規定する第２の水平リニアステータおよび第２の水平ガイドトラックとを具えることを特徴とするコンベヤシステム。
【請求項２３】
請求項２０に記載のコンベヤシステムにおいて、さらに、
前記コンベヤトレイを前記キャリッジから前記第１の水平ガイドトラック上に受けるために、前記エレベータに前記上のレベルで当接するコンベヤセクションと、前記コンベヤセクションが延びる上のレベルに配置されたパイプとを具えることを特徴とするコンベヤシステム。
【請求項２４】
請求項４に記載のコンベヤシステムにおいて、各コンベヤセクションのトレイガイドが、
搬送方向に長さ方向に延びる左側レールと、
前記左側レールと平行に、搬送方向に長さ方向に延びる右側レールとを具え、
前記左側リニアステータは前記左側レールに埋設されその長さに沿って延びており、前記右側リニアステータは前記左側レールに埋設されその長さに沿って延びていることを特徴とするコンベヤシステム。
【請求項２５】
請求項２４に記載のコンベヤシステムにおいて、
１またはそれ以上のキャリッジであって、
当該キャリッジの後端部から前端部までの長さと、前記キャリッジの左側部から右側部への幅とに延在するキャリッジトレイガイドと、
前記キャリッジトレイガイドの後端部と前端部との間で前記キャリッジトレイガイドを通って長さ方向に延びる左側のキャリッジリニアステータと、
前記キャリッジトレイガイドの後端部と前端部との間で前記キャリッジトレイガイドを通って長さ方向に延びる右側のキャリッジリニアステータと、
ここで、前記左側のキャリッジリニアステータは前記キャリッジトレイガイドの左側寄りであり、前記右側のキャリッジリニアステータは前記キャリッジトレイガイドの右側寄りであり、
前記キャリッジの後端部にある後部トランスレータと、
前記キャリッジの前端部にある前部トランスレータと
を具えるキャリッジと、
搬送方向に対して垂直に延びる一対の平行なガイドトラックであって、各ガイドトラックは、１またはそれ以上のキャリッジの前部および後部トランスレータのための搬送方向に対して垂直なガイド経路を形成して、前記１またはそれ以上のキャリッジを並進させるガイドトラックとを具え、
前記コンベヤセクションは、空間を隔てて互いに水平方向または垂直方向にオフセットされており、
前記一対の平行なガイドトラックは、前記コンベヤセクションのうちの１つから、１またはそれ以上の他のコンベヤセクションとの整列へと前記ガイド経路に沿って前記キャリッジを案内するために、オフセットされたコンベヤセクション間の空間に配置されていることを特徴とするコンベヤシステム。
【請求項２６】
請求項４に記載のコンベヤシステムにおいて、前記複数のコンベヤセクションは、前記トレイが物品を搬送することができる搬送路と、空のトレイが前記搬送路に戻る戻り路とを形成するように構成されており、前記コンベヤシステムは、前記戻り路に沿って前記トレイをトレイを清掃するための１またはそれ以上の清掃ゾーンを有することを特徴とするコンベヤシステム。
【請求項２７】
請求項２６に記載のコンベヤシステムにおいて、前記１またはそれ以上の清掃ゾーンのうちの少なくとも１つは、前記トレイが洗浄される自動洗浄エンクロージャを含むことを特徴とするコンベヤシステム。
【請求項２８】
請求項４に記載のコンベヤシステムにおいて、前記複数のコンベヤセクションは、少なくともいくつかのコンベヤセクションが湾曲したコンベヤセクションであるエンドレスレーストラックを形成するように配置されていることを特徴とするコンベヤシステム。
【請求項２９】
請求項４に記載のコンベヤシステムにおいて、前記コンベヤセクションの少なくともいくつかは、搬送される製品が前記トレイから滑り落ちるように傾斜していることを特徴とするコンベヤシステム。
【請求項３０】
コンベヤシステムであって、
単一のコンベヤセグメントまたは一連のコンベヤセグメントを有するコンベヤであって、各コンベヤセグメントが、
当該コンベヤセグメントの後端部から前端部までの長さと、前記コンベヤセグメントの左側部から右側部までの幅とに延在するトレイガイドと、
前記後端部と前端部との間で前記トレイガイドを通って長さ方向に延びる左側リニアステータと、
前記後端部と前端部との間で前記トレイガイドを通って長さ方向に延びる右側リニアステータとを具え、
前記左側リニアステータは前記左側部に近く、前記右側リニアステータは前記右側部に近い、コンベヤと、
前記トレイガイドに沿って駆動される複数のコンベヤトレイとを具え、各コンベヤトレイは、前記コンベヤトレイを搬送方向に駆動するための左側および右側リニアステータと共にリニアモータを形成するトランスレータを有することを特徴とするコンベヤシステム。
【請求項３１】
請求項３０に記載のコンベヤシステムにおいて、前記コンベヤトレイは、前記トランスレータを形成する導電性材料で作られ、前記トランスレータは、前記左側および右側のリニアステータと共にリニア誘導モータを形成することを特徴とするコンベヤシステム。
【請求項３２】
請求項３０に記載のコンベヤシステムにおいて、前記トランスレータが、前記左側リニアステータに近接した左側トランスレータと、前記右側リニアステータに近接した右側トランスレータとを具えることを特徴とするコンベヤシステム。
【請求項３３】
請求項３０に記載のコンベヤシステムにおいて、コンベヤフレームと、前記コンベヤフレーム内に封入されたステータ駆動電子機器および配線とを具え、前記配線は、前記ステータ駆動電子機器を前記左側および右側リニアステータの少なくとも一方に接続することを特徴とするコンベヤシステム。
【請求項３４】
請求項３０に記載のコンベヤシステムにおいて、検知位置においてコンベヤトレイの存在を検出するための、前記感知位置において前記トレイガイドに埋設されたセンサをさらに具えることを特徴とするコンベヤシステム。
【請求項３５】
請求項３０に記載のコンベヤシステムにおいて、前記コンベヤトレイが識別表示を有し、前記コンベヤシステムが、前記識別表示を感知するために前記トレイガイドに埋設されたセンサをさらに具えることを特徴とするコンベヤシステム。
【請求項３６】
請求項３５に記載のコンベヤシステムにおいて、遠隔配置されたコントローラをさらに具え、前記センサは、前記コンベヤトレイの位置およびそれらの識別表示を示す信号を前記コントローラに提供し、前記コントローラは、前記左側および右側のステータを励起するための制御信号を送信して前記コンベヤトレイの動きを制御することを特徴とするコンベヤシステム。
【請求項３７】
請求項３０に記載のコンベヤシステムにおいて、コンベヤセグメントのトレイガイドの端部に埋設された磁石をさらに具え、隣接するコンベヤセグメントのトレイガイドの端部の磁石に引き寄せられて前記隣接するコンベヤセグメントのトレイガイドと整列することを特徴とするコンベヤシステム。
【請求項３８】
請求項３０に記載のコンベヤシステムにおいて、コンベヤセグメントのトレイガイドの第１の端部に埋設された少なくとも１つの磁石と、前記トレイガイドの反対側の第２の端部にある鉄要素とをさらに具え、前記鉄要素は隣接するコンベヤセグメントのトレイガイドの第１の端部の磁石に引き付けられて、当該隣接するコンベヤセグメントのトレイガイドと整列することを特徴とするコンベヤシステム。
【請求項３９】
請求項３０に記載のコンベヤシステムにおいて、前記トレイガイドが、前記左側部に沿った左側のレールと、前記右側部に沿った右側のレールとを具えることを特徴とするコンベヤシステム。
【請求項４０】
請求項３９に記載のコンベヤシステムにおいて、前記左右のサイドレールはプラスチック製であり、前記コンベヤトレイと接触する凸状の丸みを帯びた上面を有することを特徴とするコンベヤシステム。
【請求項４１】
請求項３９に記載のコンベヤシステムにおいて、前記左右のサイドレールはプラスチック製であり、前記コンベヤトレイと接触する平坦な上面を有することを特徴とするコンベヤシステム。
【請求項４２】
請求項３０に記載のコンベヤシステムにおいて、加圧空気源をさらに具え、前記トレイガイドが、前記加圧空気源によってそれぞれ加圧された左右の側面に沿った左右の気流ネットワークと、前記トレイガイドの長さに沿って延びる主トンネルと、前記主トンネルから前記トレイガイドの上部の開口部へと分岐して前記コンベヤトレイにエアベアリングを提供するスパートンネルとを具えることを特徴とするコンベヤシステム。
【請求項４３】
請求項３０に記載のコンベヤシステムにおいて、前記コンベヤからコンベヤトレイを受け取る第１の位置において前記コンベヤ上のトレイガイドと整列して前記キャリッジを支持する前記コンベヤの端部に、キャリッジトレイガイドとキャリッジ支持フレームとを具えるキャリッジをさらに具え、前記キャリッジ支持フレームがステータを含み、前記キャリッジが、励起されると前記キャリッジを前記コンベヤトレイと一緒に他のコンベヤと整列する第２の位置にキャリッジを移動し、そして前記第１の位置へ戻すステータと共にリニアモータを形成するトランスレータを具えることを特徴とするコンベヤシステム。
【請求項４４】
請求項４３に記載のコンベヤシステムにおいて、前記キャリッジは、前記コンベヤトレイを前記キャリッジに沿って移動させるための、前記左側部に沿って前記トレイガイドに埋設された左側のリニアステータと、前記右側部に沿って前記トレイガイドに埋設された右側のリニアステータとを具えることを特徴とするコンベヤシステム。
【請求項４５】
請求項４３に記載のコンベヤシステムにおいて、前記キャリッジは、前記トレイガイドの各端部にハウジングと、各ハウジングに埋設されたトランスレータとを具え、前記キャリッジ支持フレームは前記コンベヤの搬送方向に対して垂直に延びる一対のトラックを具え、各トラックは左右のキャリッジレールの端部の一方に前記ハウジングを受容し、そのハウジングが前記トラックに受容されて前記キャリッジを前記トラックに沿って駆動する各トランスレータと共にリニアモータを形成するステータを具えることを特徴とするコンベヤシステム。
【請求項４６】
請求項４３に記載のコンベヤシステムにおいて、前記キャリッジが垂直トランスレータと水平トランスレータとを具え、前記キャリッジ支持フレームが、垂直リニアモータと共に垂直リニアモータを形成して垂直トラックに沿って前記キャリッジを垂直に移動させる埋設された垂直ステータを有する垂直トラックを具え、前記支持フレームは、前記水平トランスレータと共に水平リニアモータを形成して、水平トラックに沿って前記キャリッジを水平方向に並進させる埋設された水平ステータを有する水平トラックを具えることを特徴とするコンベヤシステム。
【請求項４７】
請求項３０に記載のコンベヤシステムにおいて、前記左側および右側リニアステータは、アイアンレスステータであることを特徴とするコンベヤシステム。
【請求項４８】
請求項２９に記載のコンベヤシステムにおいて、前記トレイガイドの左側部に沿った左側の導電性ストリップと、前記右側部に沿った右側の導電性ストリップとをさらに具えることを特徴とするコンベヤシステム。
【請求項４９】
コンベヤトレイであって、
前縁部、後縁部、左縁部、および右縁部を有する物品支持面と、
前記物品支持面の下方に配置され、前記後縁部と前縁部を交差する線に沿って長さ方向に延びる第１のリニアトランスレータと、
前記物品支持面の下方に配置され、前記第１のリニアトランスレータと前記右縁部との間で前記第１のリニアトランスレータと平行に延びる第２のリニアトランスレータと、
前記物品支持面の下方に配置され、前記第１および第２のリニアトランスレータに対して垂直に延びる第３のリニアトランスレータと、
前記物品支持面の下方に配置され、前記第３のリニアトランスレータと前記後縁部との間を含む前記第３のリニアトランスレータと平行に延びる第４のリニアトランスレータと、
を具えることを特徴とするコンベヤトレイ。
【請求項５０】
請求項４９に記載のコンベヤトレイにおいて、前記第１、第２、第３、および第４のリニアトランスレータがそれぞれ、磁場が前記物品支持面に対して垂直に下方に向けられる一連の磁石を具えることを特徴とするコンベヤトレイ。
【請求項５１】
請求項４９に記載のコンベヤトレイにおいて、前記前縁部の前部クランプ磁石と、前記後縁部の後部クランプ磁石とをさらに具えることを特徴とするコンベヤトレイ。
【請求項５２】
コンベヤトレイにおいて、
４つの角部を画定する前縁部、後縁部、左縁部、および右縁部を有する上面と、
当該上面の下に配置され、前記左縁部に平行かつ前記後縁部と前縁部に交差する線に沿って長さ方向に延びる左リニアトランスレータと、
前記上面の下に配置され、前記左リニアトランスレータと前記右縁部との間で前記左側リニアトランスレータと平行に延びる右リニアトランスレータと、
前記上面の下に配置され、左右のリニアトランスレータに垂直で、左右の縁部と交差する線に沿って長さ方向に延びる前部リニアトランスレータと、
前記上面の下に配置され、前記前部リニアトランスレータと前記後縁部との間で前部リニアトランスレータと平行に長さ方向に延びる後部リニアトランスレータとを具えることを特徴とするコンベヤトレイ。
【請求項５３】
請求項５２に記載のコンベヤトレイにおいて、前記４つの角部のそれぞれにおいて前記上面の下に磁石をさらに具えることを特徴とするコンベヤトレイ。
【請求項５４】
エレベータであって、
リニアステータを内包する垂直の左ステータレールと、当該左ステータレールと平行でリニアステータを内包する垂直の右ステータレールとを具える第１の垂直コンベヤセクションと、
リニアステータを内包する垂直の左ステータレールと、当該左ステータレールと平行でリニアステータを内包する垂直の右ステータレールとを具える第２の垂直コンベヤセクションと、
前記第１の垂直コンベヤセクションに乗った第１のキャリッジと、前記第２の垂直コンベヤセクションに乗った第２のキャリッジとであって、各キャリッジが、
下端部と上端部との間で当該キャリッジの左側に沿って長さ方向に延びる左トランスレータと、
前記下端部と上端部との間で前記キャリッジの右側に沿って長さ方向に延び、前記垂直右ステータレールに内包されたリニアモータと共にリニアモータを形成する右トランスレータと、
前記上端部を横切って前記左側部から右側部へ延び、上側リニアステータを内包する上側レールと、
を具えるキャリッジと、
ここで前記第１および第２のキャリッジの上側レールは同じ高さにあり、
前記第１および第２キャリッジの上側リニアステータと共にリニアモータを形成する、前記第１の垂直コンベヤセクションの上部にある第１の水平ステータと、前記第２の垂直コンベヤセクションの上部にある第２水平ステータと、を具えることを特徴とするエレベータ。
【請求項５５】
コンベヤであって、
開口端と、第１の細長いエンクロージャの長さに沿って延びる搬送面とを具える第１の細長いエンクロージャと、
前記搬送面の左側部に沿って長さ方向に延びる左側リニアステータと、
前記搬送面の右側部に沿って長さ方向に延びる右側リニアステータと、
前記搬送面上に支持された複数のコンベヤトレイであって、前記第１の細長いエンクロージャを通して前記コンベヤトレイを駆動するために、前記左側および右側のステータと共にリニアモータを形成するトランスレータを有するコンベヤトレイと、を具えることを特徴とするコンベヤ。
【請求項５６】
請求項４５に記載のコンベヤにおいて、開口端と、第２の細長いエンクロージャの長さに沿って延びる搬送面とを具え、前記前記第１の細長いエンクロージャと平行に配置された第２の細長いエンクロージャをさらに具え、前記第１の細長いエンクロージャの搬送面は当該第１の細長いエンクロージャの床であり、前記第２の細長いエンクロージャの搬送面は当該第２の細長いエンクロージャの天井であることを特徴とするコンベヤ。
【請求項５７】
請求項５５に記載のコンベヤにおいて、前記第１の細長いエンクロージャを上から吊り下げるアタッチメントをさらに含むことを特徴とするコンベヤ。
【請求項５８】
コンベヤトレイであって、
物品支持面と、前縁部と、後縁部と、左縁部と、右縁部とを有するトレイ本体と、
前記物品支持面の下方に配置され、前記後縁部と前縁部とを交差する線に沿って長さ方向に延びる第１のリニアトランスレータと、
前記物品支持面の下方に配置され、前記第１のリニアトランスレータと前記右縁部との間で前記第１のリニアトランスレータと平行に延びる第２のリニアトランスレータと、
前記左縁部から下方に延びる右スカートと、
前記右縁部から下方に延びる左スカートとを具え、
前記第１のリニアトランスレータは前記左スカート内に配置され、前記第２のリニアトランスレータは前記右スカート内に配置されることを特徴とするコンベヤトレイ。
【請求項５９】
請求項５８に記載のコンベヤトレイにおいて、前記物品支持面と前記左右のスカートとが非磁性材料で作られていることを特徴とするコンベヤトレイ。
【請求項６０】
請求項５８に記載のコンベヤトレイにおいて、前記物品支持面が四角形であり、前記左右のスカートが前記物品支持面の左右の縁部から下方に垂直に延びていることを特徴とするコンベヤトレイ。
【請求項６１】
請求項５８に記載のコンベヤトレイにおいて、
前記前縁部から下方へ延びる前部スカートと、
前記後縁部から下方に延びる後部スカートと、
前記前部スカート内の第３のリニアトランスレータと、
前記後部スカート内の第４のリニアトランスレータと、をさらに具えることを特徴とするコンベヤトレイ。
【請求項６２】
請求項６１に記載のコンベヤトレイにおいて、前記前縁部と後縁部とが前記物品支持面の４つの角部で前記左縁部と右縁部とに交わり、前記前部スカート、後部スカート、左スカート、および右スカートは前記角部まで延びておらず、これらの角部において隣接するスカート間にスリットを形成しないことを特徴とするコンベヤトレイ。
【請求項６３】
請求項５８に記載のコンベヤトレイにおいて、前記左縁部に左クランプ磁石と、前記右縁部に右クランプ磁石とをさらに具えることを特徴とするコンベヤトレイ。
【請求項６４】
請求項６３に記載のコンベヤトレイにおいて、前記右クランプ磁石は、横方向に隣接するコンベヤトレイの左縁部の対応する左クランプ磁石に対し、前記右縁部に平行な方向に高い磁気剪断力と、前記右縁部に垂直な方向に低い磁気クランプ力とを加えることを特徴とするコンベヤトレイ。
【請求項６５】
請求項５８に記載のコンベヤトレイにおいて、前記第１のリニアトランスレータが前記左端部の長さに沿って延びる交番極性の第１の一連の磁石を具え、前記第２のリニアトランスレータが前記右縁部の長さに沿って交番極性の第２の一連の磁石を具えることを特徴とするコンベヤトレイ。
【請求項６６】
請求項６５に記載のコンベヤトレイにおいて、前記第１の一連の磁石および前記第２の一連の磁石がハルバッハ配列に配置されていることを特徴とするコンベヤトレイ。
【請求項６７】
請求項６５に記載のコンベヤトレイにおいて、前記第１の一連の磁石および前記第２の一連の磁石の磁場は、前記物品支持面に対して平行に内向きに向けられることを特徴とするコンベヤトレイ。
【請求項６８】
請求項５８に記載のコンベヤトレイにおいて、前記第１のリニアトランスレータが当該第１のリニアトランスレータの長さに沿って延びる導電要素を具え、前記第２のリニアトランスレータが当該第２のリニアトランスレータの長さに沿って延びる導電要素を具えることを特徴とするコンベヤトレイ。
【請求項６９】
請求項５８に記載のコンベヤトレイにおいて、前記第１のリニアトランスレータが当該第１のリニアトランスレータの長さに沿って延びる一連のポールを有するプラテンを具え、前記第２のリニアトランスレータが当該第２のリニアトランスレータの長さに沿って延びる一連のポールを有するプラテンを具えることを特徴とするコンベヤトレイ。
【請求項７０】
請求項５８に記載のコンベヤトレイにおいて、前記前縁部に前部クランプ磁石と、前記後縁部に後部クランプ磁石とをさらに具えることを特徴とするコンベヤトレイ。
【請求項７１】
請求項７０に記載のコンベヤトレイにおいて、前記前部および後部クランプ磁石が、当接する先行および後続のコンベヤトレイの対応する整列された前後のクランプ磁石に対し、前記前縁部および後縁部に垂直な方向に高い磁気クランプ力と、前記前縁部および後縁部に平行な方向に低い磁気剪断力とを加えることを特徴とするコンベヤトレイ。
【請求項７２】
請求項５８に記載のコンベヤトレイにおいて、
前記前縁部に沿って前記物品支持面から直立する前壁と、
前記後縁部に沿って前記物品支持面から直立する後壁とをさらに具えることを特徴とするコンベヤトレイ。
【請求項７３】
コンベヤトレイ用のキャリッジであって、
前記キャリッジの後端部から前端部までの長さと、前記キャリッジの左側部から右側部までの幅とに冤罪するトレイガイドと、
前記後端部と前端部との間で前記トレイガイドを通って長さ方向に延びる左リニアステータと、
前記後端部と前端部との間で前記トレイガイドを通って長さ方向に延びる右リニアステータと、
ここで前記左リニアステータは前記左側部に近く、前記右リニアステータは前記右側部に近く、
前記キャリッジの後端部にある後部トランスレータと、
前記キャリッジの前端部にある前部トランスレータと、
を具えることを特徴とするキャリッジ。
【請求項７４】
請求項７３に記載のキャリッジにおいて、前記左右のリニアステータは、前記前部および後部トランスレータに電気的に接続され、それらを介して電力を受け取ることを特徴とするキャリッジ。
【請求項７５】
請求項７３に記載のキャリッジにおいて、前記後部トランスレータおよび前部トランスレータがそれぞれ、水平磁気軸を提供する垂直三相巻線および垂直磁気軸を提供する水平三相巻線のうちの少なくとも一方を含むことを特徴とするキャリッジ。
【請求項７６】
請求項７３に記載のキャリッジにおいて、
前記後部トランスレータが、左レールに近い前記キャリッジの後端部にある左後部トランスレータと、右レールに近い前記キャリッジの後端部にある右後部トランスレータとを具え、
前記前部トランスレータは、左レールに近い前記キャリッジの前端部にある左前部トランスレータと、右レールに近い前記キャリッジの前端部にある右前部トランスレータとを具え、
前記左リニアステータは、前記左後部トランスレータおよび左前部トランスレータの少なくとも一方に電気的に接続され電力を受け取り、前記右リニアステータは、前記右後部トランスレータおよび右前部トランスレータの少なくとも一方に電気的に接続され電力を受け取ることを特徴とするキャリッジ。
【請求項７７】
請求項７６に記載のキャリッジにおいて、前記左後部トランスレータおよび左前部トランスレータの少なくとも一方から前記左リニアステータへの電力の印加を制御する左制御回路と、前記右後部トランスレータと右前部トランスレータの少なくとも一方から前記右リニアステータへの電力の印加を制御する右制御回路とを具えることを特徴とするキャリッジ。
【請求項７８】
請求項７３に記載のキャリッジにおいて、前記右後部トランスレータと右全部トランスレータは、アイアンレスステータであることを特徴とするキャリッジ。
【請求項７９】
請求項７３に記載のキャリッジにおいて、前記キャリッジに埋設された重量センサをさらに具えることを特徴とするキャリッジ。
【請求項８０】
請求項７３に記載のキャリッジにおいて、前記トレイガイドは、前記キャリッジの後端部と前端部との間で前記キャリッジの左側部に沿って長さ方向に延びる左レールと、前記キャリッジの後端部と前端部の間で前記キャリッジの右側部に沿って長さ方向に延びる右レールとを具えることを特徴とするキャリッジ。
【請求項８１】
請求項８０に記載のキャリッジにおいて、前記左前部、左後部、右前部、および右後部トランスレータ用の、左前部、左後部、右前部、および右後部ハウジングを具え、前記左後部および左前部ハウジングが、前記左レールの下方かつ外側に吊り下げられ、前記右後部および右前部ハウジングが、前記右レールの下方かつ外側につり下げられることを特徴とするキャリッジ。
【請求項８２】
請求項８０に記載のキャリッジにおいて、
前記左右のレールを支持するキャリッジ本体と、
前記後端部から下方に延びる後部スカートと、
前記前端部から下方に延びる前部スカートとを具え、
前記後部トランスレータは前記後部スカートに沿って延びる永久磁石アレイを具え、前部前部トランスレータは前記前部スカートに沿って延びる永久磁石アレイを具えることを特徴とするキャリッジ。
【請求項８３】
請求項７３に記載のキャリッジにおいて、前記トレイガイドが連続的な上面であることを特徴とするキャリッジ。
【請求項８４】
コンベヤトレイ用のキャリッジアセンブリにおいて、
キャリッジであって、
当該キャリッジの一方の側に沿って長さ方向に延びる第１のリニアステータと、
前記キャリッジの反対側に沿って長さ方向に延びる第２のリニアステータと、
前記キャリッジを所定の角度にわたって回転させるモータと、を具えることを特徴とするキャリッジアセンブリ。
【請求項８５】
請求項８４に記載のキャリッジアセンブリにおいて、前記モータは、前記キャリッジに固定されたロータと、その内側で前記ロータが回転するステータとを有することを特徴とするキャリッジアセンブリ。
【請求項８６】
請求項８４に記載のキャリッジアセンブリにおいて、前記モータが、前記キャリッジに固定されたロータ−トランスレータと、その内側で前記ロータ−トランスレータが同一軸に沿って前記キャリッジを回転させ平行移動させるθ−ｚステータとを具えることを特徴とするキャリッジアセンブリ。
【請求項８７】
請求項８４に記載のキャリッジアセンブリにおいて、前記キャリッジが、それぞれ第１のリニアステータを封入する少なくとも２つの左ステータレールと、それぞれが第２のリニアステータを封入する少なくとも２つの右ステータレールとをさらに具え、前記少なくとも２つの左右のステータレールは、所定の角度だけ回転方向に離隔された対として構成されることを特徴とするキャリッジアセンブリ。
【請求項８８】
コンベヤであって、
リニアモータステータを有するコンベアセクションと、
複数のトレイであって、各々が、
前記リニアモータステータと共にリニアモータを形成し、前記トレイを前記コンベヤセクションに沿って搬送するリニアモータトランスレータと、
前記トレイがメンバーであるファミリを示す印と
を具えるトレイと、
コントローラと、
前記印を検知してセンサ信号を前記コントローラに送信するセンサとを具え、
前記コンベヤセクションは、所定のファミリに属するトレイを搬送するように割り当てられ、
前記コントローラは、延期センサ信号から前記トレイのファミリを特定し、前記トレイのファミリが所定のファミリと一致しない場合に、前記コンベヤ上のトレイの搬送を停止することを特徴とするコンベヤ。
【請求項８９】
コンベヤの運用方法において、
割り当てられたファミリを示す印によって、複数のコンベヤトレイの各々を複数のファミリのうちの１つに割り当てるステップと、
コンベヤトレイの所定のファミリをコンベヤに割り当てるステップと、
前記コンベヤ上の各コンベヤトレイの割り当てられたファミリを識別するステップと、
そのファミリが前記コンベヤに割り当てられた所定のファミリと一致しないコンベヤトレイを識別するステップと、
そのファミリが前記コンベヤに割り当てられた所定のファミリと一致しないコンベヤトレイを前記コンベヤから取り除くステップと、
プロセスを通じて、そのファミリが所定のファミリと一致するコンベヤトレイを前記コンベヤに沿って搬送するステップとを含むことを特徴とする方法。
【請求項９０】
請求項８９の方法において、
前記プロセスが完了したとき、またはそのファミリが前記コンベヤに割り当てられた所定のファミリと一致しないコンベヤトレイが検出されたときに、前記コンベヤからすべてのコンベヤトレイを取り除くステップと、
コンベヤトレイが前記コンベヤで交換される前に前記コンベヤを清掃するステップとを含むことを特徴とする方法。
【請求項９１】
コンベヤのレールをスクラブするためのレールスクラバであって、
コンベヤの左右のコンベヤレールに沿って走行する前後のホイールと、
前記左右のコンベヤレールと係合するブラシを有する左右のスクラブホイールと、
流体タンクと、
前記左右のコンベヤレールに配置され、前記流体タンクから左右のコンベヤレール上に流体を噴霧するノズルと、
前記左右のコンベヤレールに沿って前記レールスクラバを駆動する駆動システムと、
を具えることを特徴とするレールスクラバ。
【請求項９２】
請求項９１のレールスクラバにおいて、前記前後のホイールの少なくとも一方に結合されて前記駆動システムを構成し、前記左右のスクラブホイールに結合されて前記スクラブホイールを回転させる少なくとも１つのモータをさらに具えることを特徴とするレールスクラバ。
【請求項９３】
請求項９２のレールスクラバにおいて、前記少なくとも１つのモータに電力を供給するバッテリをさらに具えることを特徴とするレールスクラバ。
【請求項９４】
請求項９１のレールスクラバにおいて、前記左右のコンベヤレールに沿って前記レールスクラバを駆動するために、前記コンベヤのステータと共にリニアモーターを形成するトランスレータをさらに具えることを特徴とするレールスクラバ。
【請求項９５】
請求項９１のレールスクラバにおいて、前記流体タンク、前記左右のスクラブホイール、前記前後のホイール、前記ノズル、および前記駆動システムを覆い、前端部と、当該前端部の外側に延びて前記左右のコンベヤレールからゴミをこすり落とすレールスクレーパとを有するカバーをさらに具えることを特徴とするレールスクラバ。
【請求項９６】
コンベヤの上面をスクラブするためのスクラバであって、
コンベヤの上面に沿って走行する前後のホイールと、
前記コンベヤの上面と係合するブラシを有する左右のスクラブホイールと、
液体タンクと、
前記流体タンクから前記コンベヤの上面に流体を噴霧するように配置されているノズルと、
前記コンベヤの上面に沿って前記スクラバを駆動する駆動システムとを具えることを特徴とするスクラバ。
【請求項９７】
請求項９６のスクラバにおいて、前記駆動システムを構成するために前記前後のホイールに結合され、前記コンベヤの上面に対して垂直な軸の周りに前記スクラブホイールを回転させるために前記左右のスクラブホイールに結合される少なくとも１つのモータをさらに具えることを特徴とするスクラバ。
【請求項９８】
請求項９７のスクラバにおいて、前記少なくとも１つのモータに電力を供給するバッテリをさらに具えることを特徴とするスクラバ。
【請求項９９】
請求項９６のレールスクラバにおいて、前記コンベヤの上面に沿って前記レールスクラバを駆動するために前記コンベヤ内のステータと共にリニアモータを形成するトランスレータをさらに具えることを特徴とするスクラバ。
【請求項１００】
コンベヤにおいて、
トレイであって、
上面と、反対側の下面とを有するトレイ本体と、
前記トレイ本体内の複数のローラと、
前記トレイの長さに沿って長さ方向に延びる下面のリニアトランスレータと、
を具えるトレイと、
前記トレイを支持するコンベヤセクションであって、
前記リニアトランスレータに隣接したコンベヤセクションに沿って長さ方向に延び、前記トランスレータと共にリニアモータを形成して前記トレイを前記コンベヤに沿って推進させるリニア駆動ステータと、
前記複数のローラと協働してこれらのローラが通過するときに回転させるトレイ−ローラアクチュエータとを具えることを特徴とするコンベヤ。
【請求項１０１】
請求項１００のコンベヤにおいて、前記複数のローラが前記トレイ本体の下面を越えて延在し、前記トレイ−ローラアクチュエータが、前記トレイが通過するときに前記トレイ本体のローラを回転させるために前記トレイ本体のローラと係合する複数の複数の作動ローラを具えることを特徴とするコンベヤ。
【請求項１０２】
請求項１００のコンベヤにおいて、前記複数のローラが前記トレイ本体の下面を越えて延在し、前記トレイ−ローラアクチュエータが、前記トレイが通過するときに前記トレイ本体のローラを回転させるために前記トレイ本体のローラと係合する平坦な支持面を具えることを特徴とするコンベヤ。
【請求項１０３】
請求項１００のコンベヤにおいて、前記複数のローラが磁石または導電性材料で作られたロータを具え、前記トレイ−ローラアクチュエータが、前記トレイが通過するときに前記ロータと共にリニアモータを形成して前記トレイ本体のローラを回転させるリニアステータを具えることを特徴とするコンベヤ。
【請求項１０４】
コンベヤトレイであって、
上面と、反対側の下面とを有するトレイ本体と、
前記トレイ本体の厚さを貫通して前記上面および下面を越えて延在する複数のローラと、
前記トレイの長さに沿って長さ方向に延びる下面のリニアトランスレータとを具えることを特徴とするコンベヤトレイ。
【請求項１０５】
請求項１０４のコンベヤトレイにおいて、前記ローラの回転軸が前記トレイの長さに対して斜めであることを特徴とするコンベヤトレイ。
【請求項１０６】
請求項１０４のコンベヤトレイにおいて、前記ローラの回転軸が前記トレイの長さに対して平行であることを特徴とするコンベヤトレイ。
【請求項１０７】
請求項１０４のコンベヤトレイにおいて、各ローラが、前記下面を越えて延在する底部ローラと、当該底部ローラに接触し前記上面を越えて延在する頂部ローラとを具え、前記底部ローラが一方向に回転すると前記頂部ローラが反対方向に回転することを特徴とするコンベヤトレイ。
【発明の詳細な説明】
【技術分野】
【０００１】
本発明は、一般に動力駆動コンベヤに関し、特にリニアモータによって駆動されるトレイコンベヤに関する。
【背景技術】
【０００２】
リニア同期モータによって駆動される複数のキャリアが、複雑なネットワーク経路内の様々な経路に沿って個々のキャリアを経路指定する輸送システムが、物品を選択された目的地に搬送するために使用されている。そのような搬送システムの一例が、２０１５年３月３日に米国マサチューセッツ州ＤｅｖｅｎｓのＭａｇｎｅｍｏｔｉｏｎ  Ｉｎｃ．のＮａｔｈａｎａｅｌ  Ｎ．Ｋｉｎｇ等に付与された米国特許第８，９６７，０５１号に記載されている。これらのシステムはうまく機能するが、清掃が簡単ではない。リニアモータステータのハウジングは、食品加工用途におけるグリースや他の食品粒子を回収するための、大きく平坦な、閉じた上面を呈する。正しく清掃しないと、表面がバクテリアで汚染される可能性がある。そして、輸送システムのアクセスしにくいアンダーカット面はそれらのバクテリアをかくまうことになる。
【発明の概要】
【０００３】
本発明の特徴を具体化したコンベヤシステムの１つのバージョンは、複数のコンベヤセクションと複数のコンベヤトレイとを具える。各コンベヤセクションは、コンベヤセクションの後端から前端までの長さと、コンベヤセクションの左側から右側までの幅とに延びるトレイガイドを具える。少なくとも１つのリニアステータが、後端部と前端部との間でトレイガイドを通って長さ方向に延びる。コンベヤトレイは、コンベヤトレイをトレイガイドに沿って搬送方向に駆動するために少なくとも１つのリニアステータと共にリニアモータを形成する少なくとも１つのトランスレータを有する。複数のコンベヤセクションは、トレイが物品を搬送することができる搬送路と、空のトレイが搬送路に戻る戻り路とを形成するように構成される。コンベヤシステムは、トレイを清掃するために戻り経路に沿って１以上の清掃ゾーンを具える。
【０００４】
本発明の特徴を具体化するコンベヤシステムの別のバージョンは、複数のコンベヤセクションと複数のトレイとを具える。各コンベヤセクションは、コンベヤセクションの後端から前端までの長さと、コンベヤセクションの左側から右側までの幅とに延びるトレイガイドを有する。左側および右側のリニアステータが、後端部と前端部との間でトレイガイドを通って長さ方向に延びる。左側リニアステータは左側に近く、右側リニアステータは右側に近い。コンベヤトレイは、搬送方向にトレイガイドに沿ってコンベヤトレイを駆動するために左側および右側のリニアステータと共にリニアモータを形成するトランスレータを有する。
【０００５】
コンベヤシステムのさらなる別のバージョンは、単一のコンベヤセグメントまたは一連のコンベヤセグメントと、複数のコンベヤトレイとを有するコンベヤを具える。各コンベヤセグメントは、コンベヤセグメントの後端から前端までの長さと、コンベヤセグメントの左側から右側までの幅とに延びるトレイガイドを具える。左側および右側のリニアステータが、後端部と前端部との間でトレイガイドを通って長さ方向に延びる。左側リニアステータは左側に近く、右側リニアステータは右側に近い。コンベヤトレイは、コンベヤトレイをトレイガイドに沿って搬送方向に駆動するために左側および右側のリニアステータと共にリニアモータを形成するトランスレータを有する。
【０００６】
別の態様では、本発明の特徴を具体化するコンベヤトレイは、（ａ）前縁、後縁、左縁、および右縁を有する物品支持面と、（ｂ）物品支持面の下方に配置され、後縁と前縁とに交差する線に沿って長さ方向に延びる第１のリニアトランスレータと、（ｃ）物品支持面の下方に配置され、第１のリニアトランスレータと右縁との間で第１のリニアトランスレータと平行な長さに延びる第２のリニアトランスレータと、（ｄ）物品支持面の下方に配置され、第１および第２のリニアトランスレータに対して垂直に延びる第３のリニアトランスレータと、（ｅ）物品支持面の下方に配置され、第３のリニアトランスレータと後縁との間で第３のリニアトランスレータと平行な長さに延びる第４のリニアトランスレータと、を具える。
【０００７】
コンベヤトレイの他のバージョンは、（ａ）４つの角を画定する前縁、後縁、左縁、および右縁を有する上面と、（ｂ）上面の下に配置され、左縁に平行であって後端と前端に交差する線に沿って長さ方向に延びる左リニアトランスレータと、（ｃ）上面の下側に配置され、左リニアトランスレータと右縁との間で左リニアトランスレータと平行に延びる右リニアトランスレータと、（ｄ）上面の下方に配置され、左右のリニアトランスレータに垂直で左縁および右縁と交差する線に沿って長さ方向に延びる前部リニアトランスレータと、（ｅ）上面の下方に配置され、前部リニアトランスレータと後縁との間で前部リニアトランスレータと平行に長さ方向に延びる後部リニアトランスレータと、を具える。
【０００８】
他の態様では、本発明の特徴を具体化したエレベータは、第１および第２の垂直セクションを具える。各垂直セクションは、リニアステータを封入する垂直左ステータレールと、左ステータレールと平行でリニアステータを封入する垂直右ステータレールとを具える。第１のキャリッジが第１の垂直コンベヤセクションに乗っており、第２のキャリッジが第２の垂直コンベヤセクションに乗っている。各キャリッジは、（ａ）キャリッジの下端部と上端部との間でキャリッジの左側に沿って長さ方向に延在し、垂直左ステータレール内に封入されたリニアモータと共にリニアモータを形成する左トランスレータと、（ｂ）下端部と上端部との間でキャリッジの右側に沿って長さ方向に延在し、垂直右ステータレール内に封入されたリニアモータと共にリニアモータを形成する右トランスレータと、（ｃ）上端部を横切って左側から右側まで延び、上側リニアステータを封入する上側レールと、を具える。第１および第２キャリッジの上側レールは同じ高さにある。第１垂直コンベヤセクションの上部にある第１水平ステータと、第２垂直コンベヤセクションの上部にある第２水平ステータとが、第１および第２キャリッジの上側リニアステータと共にリニアモータを形成する。
【０００９】
別の態様では、本発明の特徴を具体化するコンベヤは、開口端を有する第１の細長いエンクロージャと、第１の細長いエンクロージャの長さに沿って延びる搬送面とを具える。左側リニアステータが、搬送面の左側に沿って長さ方向に延び、右側リニアステータが、搬送面の右側に沿って長さ方向に延びる。複数のコンベヤトレイが搬送面上に支持されており、これらのコンベヤトレイは、第１の細長いエンクロージャを通してコンベヤトレイを駆動するために左側および右側のステータと共にリニアモータを形成するトランスレータを有する。
【００１０】
コンベヤトレイの別のバージョンは、物品支持面と、前縁と、後縁と、左縁と、右縁とを有するトレイ本体を具える。第１のリニアトランスレータが物品支持面の下に配置され、後縁と前縁とを交差する線に沿って長さ方向に延びる。第２のリニアトランスレータが物品支持面の下に配置され、第１のリニアトランスレータと右縁との間で第１のリニアトランスレータと平行に長さ方向に延びる。左スカートが左縁から下方に延び、右スカートが右縁から下方に延びる。第１のリニアトランスレータは左スカートに配置され、第２のリニアトランスレータは右スカートに配置される。
【００１１】
本発明の特徴を具体化したトレイコンベヤ用のキャリッジは、キャリッジの後端部から前端部までの長さとキャリッジの左側から右側への幅とに延びるトレイガイドを具える。左右のリニアステータが、後端部と前端部との間でトレイガイドを通って長さ方向に延びる。左側のリニアステータは左側に近く、右側のリニアステータは右側に近い。後部トランスレータがキャリッジの後端部に配置され、前部トランスレータがキャリッジの前端部に配置されている。
【００１２】
本発明の特徴を具体化するキャリッジアセンブリは、キャリッジと、キャリッジを所定の角度にわたり回転させるモータとを具える。キャリッジは、キャリッジの片側に沿って長さ方向に延びる第１のリニアステータと、キャリッジの反対側に沿って長さ方向に延びる第２のリニアステータとを具える。
【００１３】
本発明の特徴を具体化するコンベヤは、複数のトレイと、リニアモータステータを含むコンベヤセクションとを具える。各トレイは、リニアモータステータと共にリニアモータを形成して、トレイをコンベヤセクションに沿って搬送するリニアモータトランスレータと、トレイが属するファミリを示す印とを具える。センサが印を検知してセンサ信号をコントローラに送信する。コンベヤセクションは、所定のファミリに属するトレイを搬送するように割り当てられている。コントローラは、センサ信号からトレイのファミリを特定し、トレイのファミリが所定のファミリと一致しない場合、コンベヤ上のトレイの搬送を停止する。
【００１４】
別の態様では、本発明の特徴を具体化するコンベヤの運用方法は、（ａ）割り当てられたファミリを示す印によって、複数のコンベヤトレイの各々を複数のファミリのうちの１つに割り当てるステップと、（ｂ）コンベヤトレイの所定のファミリを１つのコンベヤに割り当てるステップと、（ｃ）コンベヤ上の各コンベヤトレイの割り当てられたファミリを同定するステップと、（ｄ）そのコンベヤに割り当てられた所定のファミリと一致しないファミリのコンベヤトレイを同定するステップと、（ｅ）そのファミリがコンベヤに割り当てられた所定のファミリと一致しないコンベヤトレイをコンベヤから取り除くステップと、（ｆ）所定のファミリと一致するファミリを有するコンベヤトレイをコンベヤに沿って搬送するステップと、を含む。
【００１５】
別の態様では、本発明の特徴を具現化するレールスクラバの一例は、コンベヤの左右のコンベヤレールに沿って走行する前後の車輪と、左右のコンベヤレールと係合するブラシを有する左右のスクラビング車輪とを具える。ノズルが左右のコンベヤレールに配置され、流体タンクから左右のコンベヤレールに流体を噴霧する。駆動システムが左右のコンベヤレールに沿ってレールスクラバを駆動する。
【００１６】
スクラバの別のバージョンは、コンベヤの上面に沿って走行する前後の車輪と、コンベヤの上面に係合するブラシを有する左右のスクラビング車輪と、流体タンクからコンベヤの上面に流体を噴霧するように配置されたノズルと、コンベヤの上面に沿ってスクラバを駆動する駆動システムとを具える。
【００１７】
コンベヤの別のバージョンは、トレイと、トレイを支持するコンベヤセクションとを具える。トレイは、上面と反対側の下面とを有するトレイ本体と、トレイ本体内の複数のローラと、トレイの長さに沿って長さ方向に延在する下面のリニアトランスレータとを具える。コンベヤセクションは、リニアトランスレータに隣接するコンベヤセクションに沿って長さ方向に延び、トランスレータと共にリニアモータを形成してトレイをコンベヤに沿って推進させるリニア駆動ステータを具える。トレイ−ローラアクチュエータが複数のローラと協働して、ローラが通過するときにそれらのローラを回転させる。
【００１８】
別の態様では、コンベヤトレイは、上面と反対側の下面とを有するトレイ本体と、上面と下面を越えてトレイ本体の厚さを貫通して延在する複数のローラと、トレイの長さに沿った長さに延在する下面のリニアトランスレータとを具える。
【図面の簡単な説明】
【００１９】
【図１】図１は、本発明の特徴を具体化したリニアモータコンベヤシステムのコンベヤセグメントの等角図である。
【図２】図２は、図１のコンベヤセグメントのサイドレールの一部の部分切り欠き拡大図である。
【図３】図３は、図１のコンベヤセグメントの部分切欠き等角図であり、組み込まれた電子回路や配線を示す。
【図４】図４は、図３の電子回路のブロック図である。
【図５】図５は、隣接する２つの図１のコンベヤセグメントの対向する端部の等角図である。
【図６】図６は、２つの接合された図１のコンベヤセグメントの等角図である。
【図７】図７は、図１のコンベヤセグメントと共に使用可能なコンベヤトレイの等角図である。
【図８】図８は、図７のコンベヤトレイの一部分の等角図であり、ハルバッハ磁石アレイを有する。
【図９】図９は、図１のコンベヤセグメントと共に使用可能なキャリッジの等角図である。
【図１０】図１０は、図９のキャリッジの角部の拡大等角図であり、部分的に開いたハウジング内の垂直方向および水平方向のトランスレータを示す。
【図１１】図１１は、図９のキャリッジの電気回路のブロック図である。
【図１２】図１２Ａ〜１２Ｄは、図１のようなコンベヤセグメントで構成された三次元トレイソータの等角図である。
【図１３】図１３は、図１のようなコンベヤセグメントで構成されたアキュムレータの等角図である。
【図１４】図１４Ａ〜１４Ｃは、図１のようなコンベヤセグメントで構成された合流コンベヤの等角図である。
【図１５】図１５Ａ〜１５Ｃは、図１のようなコンベヤセグメントで構成されたマルチトレイソータの等角図である。
【図１６】図１６は、図１５Ａ〜１５Ｃのようなマルチトレイソータに使用可能なコンベヤトレイの等角図である。
【図１７】図１７は、図１のコンベヤセグメントと共に使用可能なエレベータの等角図である。
【図１８】図１８Ａ、１８Ｂは、下降位置および上昇位置にある図１７のエレベータの等角図である。
【図１９】図１９は、図１のようなコンベヤセグメントと図１７のようなエレベータで構成される正方形スパイラルコンベヤの等角図である。
【図２０】図２０Ａ〜２０Ｃは、図１のようなコンベヤセグメントで構成されたエレベータシステムの等角図であり、トレイをオーバーヘッドパイプに送る別々の上下の経路を有する。
【図２１】図２１Ａ〜２１Ｃは、本発明の特徴を具体化したコンベヤシステムで使用するためのカバートレイ、コンベヤトレイ、およびコンベヤトレイを覆うカバートレイの不等角投影図である。
【図２２】図２２Ａ〜２２Ｄは、コンベヤトレイの上にカバーを被せるための、図１のようなコンベヤセグメントを使用するコンベヤシステムの等角図である。
【図２３】図２３Ａ〜２３Ｃは、図２２Ａ〜２２Ｄのコンベヤシステムの等角図であり、トレイカバーの取り外しを示している。
【図２４】図２４は、図１のようなコンベヤセグメントと共に使用可能な方向転換器の等角図である。
【図２５】図２５は、図２４の方向転換器の一部分の拡大透視図であり、湾曲したステータを示している。
【図２６】図２６Ａ〜２６Ｄは、図２４のような方向転換器を含むコンベヤの一部分の等角図である。
【図２７】図２７は、図２６Ａ〜２６Ｄの方向転換コンベヤにおけるレールの交差部分の拡大等角図である。
【図２８】図２８は、戻り経路に図１のような湾曲したコンベヤセグメントを使用するコンベヤの等角図である。
【図２９】図２９Ａ、２９Ｂは、本発明の特徴を具体化したコンベヤシステムで使用するためのコンベヤトレイの別バージョンの上面および底面等角図である。
【図３０】図３０は、２９Ａおよび２９Ｂのコンベヤトレイと適合するコンベヤセグメントから構成されたコンベヤシステムの部分等角図である。
【図３１】図３１は、図２０Ａ〜２０Ｄのようなエレベータシステムのキャリッジ内の２軸トランスレータの部分透視図である。
【図３２】図３２Ａ、３２Ｂは、図３１のトランスレータに取り付けられたフェイルセーフブレーキシステムの側面図であり、非ブレーキ位置およびブレーキ位置を示す。
【図３３】図３３は、図２９Ａおよび２９Ｂのようなコンベヤトレイを移動させるためのコンベヤセグメントの別バージョンの一部分の部分切り欠き等角図である。
【図３４】図３４は、図３３のコンベヤセグメントの等角図である。
【図３５】図３５は、図３３のようなコンベヤセグメントの等角図であり、磁気浮上部の代わりに空気ベアリング浮揚部を有する。
【図３７】図３７は、図３４のようなコンベヤセグメントで構成されたコンベヤセクションの一部分の等角図である。
【図３８】図３８は、図３４のようなコンベヤセグメントで構成されたコンベヤと、ｘ−ｙコンベヤセクションとの部分透視等角図である。
【図３９】図３９は、図３８のようなｘ−ｙコンベヤセクションを用いたコンベヤスイッチの等角図である。
【図４０】図４０は、図３８のようなｘ−ｙセクションを使用する合流コンベヤの等角図である。
【図４１】図４１は、図２９Ａ〜２９Ｂのようなコンベヤトレイと共に使用可能なキャリッジの部分切り欠き等角図である。
【図４２】図４２は、図４１のようなキャリッジを使用した二段コンベヤシステムの部分等角図である。
【図４３】図４３は、コンベヤの片側から物品を逸らすために傾斜した物品支持ローラを有するコンベヤトレイを用いたリニアモータ駆動の方向転換コンベヤの等角図である。
【図４４】図４３のコンベヤの等角図であり、反対側から物品を逸らしている。
【図４５】図４５は、図４３のような方向転換コンベヤの等角図であるが、積み重ねられた物品支持ローラセットを有している。図４５Ａは、積み重ねられたローラセットのうちの１つの拡大図である。
【図４６】図４６は、コンベヤトレイが主搬送方向と平行な軸上で選択的に回転可能なローラを有する、両側方向転換コンベヤの等角図である。図４６Ａは、コンベヤの部分拡大図である。
【図４７】図４７は、図１のようなコンベヤセグメントのレールを清掃するために使用される、カバーを取り外した状態のレールスクラバの等角図である。
【図４８】図４８は、図４７のレールスクラバの等角図であり、カバーが所定の位置にある。
【図４９】図４９は、図１のようなコンベヤセグメントのセクションから構成されたコンベヤシステムの等角図であり、専用トレイを使用して製品の相互汚染を防止するように構成されている。
【図５０】図５０は、図４８のようなレールスクラバの等角図であり、図４９のようにコンベヤセクションを清掃している。
【図５１】図５１Ａ、５１Ｂは、水平および傾斜位置で示される傾斜キャリッジを含む、本発明の特徴を具体化したパイプコンベヤの排出端部およびその同レベルリターンの等角図である。
【図５２】図５２Ａ〜Ｃは、水平および傾斜位置に示す傾斜キャリッジを有する、本発明の特徴を具体化したパイプコンベヤの排出端部およびその同レベルリターンの等角図である。
【図５３】図５３は、本発明の特徴を具体化したエンドレスループを形成するために各端部に下部リターンおよび回転反転キャリッジを有するコンベヤセクションの等角図である。
【図５４】図５４は、図７のようなキャリッジトレイの下側角部の等角図であり、図３のようなコンベヤレール内に導電性ストリップと相互作用する磁気ストリップを備えた状態を示す。
【図５５】図５５は、図１のようなコンベヤセグメントの等角図であり、コンベヤトレイ内にリニアモータステータ駆動ローラを有する。
【図５６】図５６は、図１４Ａ〜１４Ｃの合流コンベヤのような様々なコンベヤに使用可能な１レベル方向転換部の別バージョンの等角図である。
【図５７】図５７は、図５６のような一対のキャリッジを用いてトレイプラットフォームを形成する二重レールエレベータの等角図である。
【図５８】図５８は、図１のようなコンベヤセグメントで作られるが、湾曲しているコンベヤセクションのレーストラック部分の等角図である。
【図５９】図５９は、図３４のようなコンベヤセグメントを清掃するためのスクラバの等角図である。
【図６０】図６０は、図３４のようなコンベヤセグメントからなるエンドレスコンベヤの等角図であり、両端にエレベーターキャリッジを有する。
【発明を実施するための形態】
【００２０】
本発明の特徴を具体化した洗浄可能なコンベヤシステムを構成するためのコンベヤセグメントを図１に示す。コンベヤセグメント１００は、搬送方向１０６に長さ方向に延びる左右のサイドレール１０２、１０４を具える。２本のサイドレールは、脚部１０８と、２本のサイドレール１０２、１０４を互いに平行に維持するクロスビーム１１０の形態の接続構造とを含む最小のコンベヤフレーム内に支持されている。コンベヤフレーム全体はプラスチック材料製であるが、他の材料で製造されてもよい。サイドレール１０２、１０４の上面１１２とクロスビーム１１０の上面１１４とは、グリースや汚染物質の蓄積を最小限に抑えるために、凸状に湾曲しているか、丸みを帯びている。
【００２１】
図２に示すように、右のサイドレール１０４には、三相リニアモータステータ１１６が埋設されている。同様のステータが左のサイドレールに埋設されている。ステータ１１６は、線形コア内のスロットによって分離された一連の極を具える。スロット内の三相巻線によってステータが完成される。通電されていないときの残留磁気の摩擦効果を避けるために、コアは鉄分を含まないようにすることができる。通電されると、ステータ１１６は、示されている搬送方向１０６に、またはその反対方向にサイドレール１０４に沿って進む磁束波を生成する。この例では、磁束波はサイドレール１０４の外側壁１１８から水平方向外側に向けられる。サイドレール１０４にはまた、サイドレールの長さに沿って間隔を置いて配置されたセンサ位置に、複数のセンサ１２０が埋設されている。各センサ１２０は、センサ位置でサイドレール上のトレイの存在を検出するために使用される。
【００２２】
ステータ１１６およびセンサ１２０は、図１に示すように、コンベヤフレームおよびサイドレール１０２、１０４に埋め込まれたワイヤ１２４を介してクロスビーム１１０に埋め込まれた電子回路および電力回路１２２によって電力を供給され制御される。電子モジュール１２２を電源やシステムコントローラに接続する電力線、制御線、およびデータ線１２６は、コンベヤフレームの脚部１０８に埋設されている。配線、電子部品、ステータ、およびセンサがすべてコンベヤフレームとサイドレールに封入されるため、コンベヤセグメントには、汚染物質が集まり溜まるための平坦な表面や角や裂け目がない。そのため、コンベヤセグメントの清掃が容易になる。
【００２３】
電子モジュールおよびステータ駆動装置のブロック図を図４に示す。ステータ１１６は、サイドレールの長さに沿って交互に配置された、一連の三組のコイル１３０Ａ、１３０Ｂ、１３０Ｃ（三相それぞれに一組づつ）を具える。コイル１３０Ａ、１３０Ｂ、１３０Ｃの各組は、増幅器１３２Ａ、１３２Ｂ、１３２Ｃによって駆動される。ステータ１１６の整相シーケンスおよび周波数は、コイル制御信号１３６Ａ、１３６Ｂ、１３６Ｃを増幅器１３２Ａ、１３２Ｂ、１３２Ｃに送るステータ駆動制御部１３４を介して制御される。ステータ駆動制御部１３４は、遠隔システムコンピュータ１４０と通信するコンピュータを具え、これがさらに他のコンベヤセグメント内のステータ駆動制御部とも通信する。ステータ駆動制御部１３４は、無線または有線接続１４２を介してシステムコンピュータ１４０からコマンドを受信し、システムコンピュータ１４０にデータを送信する。センサ１２０は、センサバスを介してコンベヤトレイの位置を示すセンサ信号１４６をステータ駆動制御部１３４に送信し、ステータ駆動制御部１３４は、これらの信号を使用して、いつステータ１１６を励磁および遮断するかを決定する。遠隔システムコンピュータ１４０を除くこれら全ての構成要素は、図３のようにコンベヤフレーム内に封入されている。レール内のステータによって生成された磁束波は、埋設された永久磁石アレイ１４８を有するコンベヤトレイをレールに沿って搬送方向１０６に前進させる。
【００２４】
図５は、２つの隣接するコンベヤセグメント１００、１００’が、それらの左右のサイドレール１０２、１０４が連続的なレールを形成するように整列された状態でどのように保持されるかを示す。整列用磁石１５０が、各サイドレール１０２、１０４の底部にある付属器１５２の端部に埋設されている。同様の磁石１５４が、隣接するコンベヤセグメント１００’のサイドレールの向かい合う端部で同様の付属器１５６に埋設されている。磁石１５０、１５４は、それらが引き合うように対極が互いに向かい合うように配置される。これら磁石の吸引力が向かい合うレールを一直線に保持する。向かい合う両側のサイドレール端部に磁石を有する代わりに、一方の端部が、整列を維持するために隣接するコンベヤセグメント内の磁石によって引き寄せられることになる一片の鉄材料を有してもよい。
【００２５】
２つのコンベヤセグメント１００、１００’から構成された短いコンベヤセクションが図６に示され、トレイガイドとして機能するサイドレール１０２、１０４の頂部１１２上に一連のコンベヤトレイ１６０を支持している。トレイ１６０は互いに連結されておらず、サイドレール１０２、１０４に埋設されたステータによって搬送方向１０６に向かって、または搬送方向１０６とは反対に独立して移動可能である。トレイ１６０は、清掃、メンテナンス、または他の取り外す必要性のためにコンベヤセグメントから単に持ち上げることができる。また、トレイはコンベヤセグメント上で簡単に交換することができる。図７に示すように、各トレイ１６０は、後縁１６２、前縁１６４、左縁１６６、および右縁１６８を有する長方形のトレイ本体１６１として示されている。トレイ１６０は、縁部１６２、１６４、１６６、１６８まで延びる上側物品支持面１７０を有する。スカート１７２、１７４が、左右の縁部１６６、１６８から下方に延びている。各スカート１７２、１７４には、後縁１６２と前縁１６４との間でスカートに沿って長さ方向に延びる永久磁石アレイ１７６が埋め込まれている。これらの磁石アレイは、コンベヤセグメントのサイドレール内のステータによって生成される移動磁気波との磁気結合を最大にするために、それらの磁界が物品支持面１７０とほぼ平行に向けられるように配置されている。スカート１７２、１７４はコンベヤのサイドレールと重なり、トレイ１６０を横方向の定位置に保持するのを補助する。少なくともスカート１７２、１７４はプラスチックのような非磁性材料でなる。上側物品支持面１７０は、連続的または有孔で、平坦あるいは湾曲し、滑らかであるか、こぶ、円錐形、菱形、または他のパターンでテクスチャ加工されていてもよい。さらに、コンベヤトレイは、例えばベーキングパンとして使用するために、前後左右の縁部から立ち上がった前後左右の側面を有してもよい。物品支持面１７０は、トレイ本体の前後左右の端部を越えて延在してもよい。
【００２６】
図６に示すような真っ直ぐなコンベヤセグメント１００、１００’は、図５８にあるような湾曲したコンベヤセグメント９００と接合することができ、これにより、バンク付レーストラックのようなコンベヤセクション９０６が形成される。湾曲セグメント９００のサイドレール９０２、９０４は、直線状のセグメントと同一面上とならないように湾曲し、バンク付レーストラック状セクション９０６を形成している。コンベヤトレイ１６０上に載せられた物品９０８は、バンク付きレーストラックセクション９０６に入ると、下側レール９０２を越えてトレイ１６０から逸らされる。このようにして、レーストラック部は傾斜コンベヤとして機能し、搬送された製品がバンクセクション９０６内でトレイから落下できるようにする。バンク付レーストラックセクション９０６はまた、その全回路に沿って下側戻り経路なしの無限軌道を構成することを可能にする。そしてトレイ１６０は、バンク付セクション９０６の下流の戻りセクション９０７に沿って、洗車で使用されるような自動洗浄エンクロージャ９０９を含む洗浄ゾーンを有する洗浄ステーションを通って送られるように示されている。戻り路９０７において自動洗浄エンクロージャ９０９内でトレイ１６０を洗浄すると、トレイの手動洗浄が低減または排除され、したがって生産性が高まり、一貫してトレイ衛生が確実になる。
【００２７】
磁気結合をさらに良好にするために、永久磁石アレイは、磁石が図８のように交互の極性で配置されるハルバッハ（Ｈａｌｂａｃｈ）アレイ１７８として配置することができる。各磁石アレイは、ハルバッハであろうとなかろうと、サイドレール内のステータを一次とする磁気回路の二次を形成する。二次が永久磁石アレイの場合、それらはステータと共にリニア同期モータを形成する。トレイ内の磁石アレイは、ステータによって生成された磁束波が渦電流を誘導する導電性材料と置換することができる。渦電流は、ステータの一次磁場と相互作用する二次磁場、すなわち進行磁束波を発生させて、トレイをレールに沿って移動させる推進力を発生させる。トレイ内の磁石の代わりに導電性材料が使用される場合、導電性材料はステータと共にリニアインダクションモータを形成する。他の代替例として、トレイは、ステータプラテン上の三相ステータ極性の極ピッチとは異なる極ピッチを有する三相巻線を備えた極面のリニアアレイを含むプラテンを有し、リニアリラクタンスモータを形成してもよい。リニア同期モータ、インダクションモータ、またはリラクタンスモータが形成されるかに拘わらず、トレイ内の二次磁場は、本明細書および特許請求の範囲では、標準の回転モータの回転子と類似のトランスレータと称される。図５４に示すように、トレイは、スカート７０３と物品支持面７０４の底部との間の接合部７０２においてそれらの下面に沿って延びる磁気ストリップ７００を含むことができる。トレイがコンベヤセグメント７０６に沿って進むにつれて、磁気ストリップ７００の磁場が、ステータレール７１０内に埋設されその長さにわたって延びる導電性ストリップ７０８内に電流を誘導する。誘導電流は、磁石の磁界と相互作用してトレイ上で上向きかつ外向きに作用する浮揚力を発生させる誘導磁場を発生させ、低摩擦性、浮揚移動をもたらす。
【００２８】
トレイを水平方向または垂直方向に搬送するための、あるいはトレイをそのレールに沿って推進させるためのキャリッジを図９に示す。キャリッジ１８０は、一対の連結部材１８６によって平行に連結され維持される左レール１８２と右レール１８４とを具える。左右のキャリッジレール１８２、１８４の頂部はトレイ用の２レールキャリッジトレイガイドを形成する。コンベヤセグメント内のレールと同様に、左レール１８２は左リニアステータを封入し、右レール１８４は右リニアステータを封入している。キャリッジ１８０の後端部１８８にある後部トランスレータは、左レール１８２の下方かつ外方に懸架された左後部ハウジング１９０内の左後部トランスレータと、右レール１８４の下方かつ外方に懸架された右後部ハウジング１９２とを具える。同様に、キャリッジ１８０の前端部１８９の前部トランスレータは、左右の前部ハウジング１９４、１９６内に左右の前部トランスレータを具える。図１０に示すように、各トランスレータは１または２の三相巻線を有する。この例では、後端部１８８で右レール１８４から懸架されたトランスレータを明示するために開いて示されている右後部ハウジング１９２は、垂直トランスレータ２００および水平トランスレータ２０２を有する。垂直トランスレータ２００は水平磁気軸２０４を有し、水平トランスレータ２０２は垂直磁気軸２０６を有する。コーナーハウジング１９０、１９２、１９４、１９６内のトランスレータは、トラックに沿ってキャリッジを推進するためにコンベヤフレームステータと協働することに加えて、左右のレール１８２、１８４内のステータに力を結合する。レールステータは、励起されると、レール１８２、１８４に沿って、そしてレールから離れるようにトレイを推進させる。したがってトランスレータはレールステータに電気的に接続されている。キャリッジはまた、トレイやその内容物を秤量するために、１または複数の重量センサ２０７をレール１８２、１８４内またはコーナートランスレータハウジング１９０、１９２、１９４、１９６内に封入してもよい。
【００２９】
図１１は、キャリッジフレームに埋設された回路のブロック図である。三相ステータコイル１３０と、コイル駆動増幅器１３２と、キャリッジ駆動制御部１３４と、位置センサ１２０とを具えるキャリッジレールステータ駆動システムは、図４に関連して説明したコンベヤセグメントのものと概略同じである。ステータ駆動システムの構成要素は、キャリッジフレーム内のレールとトランスレータハウジングとの間に分配されている。三相水平および垂直トランスレータ巻線２０１の出力１９９は、コンベヤトレイトランスレータ１４８を駆動するために、駆動制御部１３４、増幅器１３２、およびレールステータ１３０に、ならびに位置センサ１２０および重量センサ２０７に電力を供給する。トランスレータ巻線２０１は、コンベヤフレームステータ２０３から誘導的に電力を受ける。高周波搬送波のデータが交流電力に重畳される電力線通信が用いられ、キャリッジ駆動制御部１３４とシステムコンピュータとの間でデータおよび制御信号が通信される。位置センサ１２０および重量センサ２０７が、センサ信号をキャリッジ駆動制御部１３４に送信する。電力および通信システム２０５は、（ａ）交流電力から通信信号を分離するためのフィルタ部と、（ｂ）交流電力を直流に変換する整流器と、（ｃ）キャリッジ駆動制御部１３４に電力供給するために直流電圧を調節する電圧調整器と、（ｄ）受信した通信信号を復号する復号器と、（ｅ）トレイ位置および重量データを含む発信データメッセージをトランスレータ巻線１９９を介して送信するための変調器およびライン駆動部とを有する。ステータ駆動制御部１３４は、電力および通信システム２０５から受信した復号済み入力メッセージを処理し、電力システムを介して送信するために電力および通信システムにデータメッセージを送信する。キャリッジトランスレータ２０１は、キャリッジを移動させるためにコンベヤフレームステータ２０３と共にスイッチドリラクタンスリニアモータを形成する。キャリッジが停止すると、コンベヤフレームステータ２０３からの電力が、キャリッジレールに沿ってコンベヤトレイを駆動するために用いられる。
【００３０】
図１２Ａ〜１２Ｄは、キャリッジを用いたコンベヤシステムの一例を説明する図である。コンベヤは以下の４つのコンベヤセクションを有する。第１下部セクションと、当該第１下部セクション２１０と一直線上にある第２下部セクション２１２と、第１コンベヤセクション２１０と平行でありかつ横方向にオフセットしている第３下方セクション２１４と、第１コンベヤセクション２１０から水平方向および垂直方向にオフセットしている第４上側セクション２１６とである。これら４つのコンベヤセクション２１０、２１２、２１４、２１６は、主空間２１８を形成する間隙にわたって互いに離間している。ガントリが空間２１８内に配置されている。このガントリは、２本の平行な水平ガイドトラック２２２、２２４と、３対の平行な垂直ガイドトラック２２６、２２８、２３０とを有する。図面を簡単にするために、ガイドトラックを支持するガントリのフレームは図示されていない。トランスレータハウジング１９０、１９２、１９４、１９６は、ガイドトラック２２２、２２４、２２６、２２８、２３０に載っている。ガイドトラックの側面に沿った上側リップ２３１が、トランスレータハウジングをトラック内に保持する。各ガイドトラックは、ガイドトラックの長さに沿って延びるリニアステータ（図示せず）を有し、キャリッジのトランスレータを推進するためにトラックに沿って磁束波を選択的に伝播させる。図１２Ａに、上にコンベヤトレイ１６０を有するキャリッジ１８０が、トレイ１６０が第１下部コンベヤセクション２１０から一直線の第２下部コンベヤセクション２１２へとキャリッジレールに沿って通過できる位置に示されている。この位置にあるキャリッジの左右のレールは、第１および第２のコンベヤセクション２１０、２１２の左右のサイドレールと有効に連続している。トレイ１６０が他の目的地用に選択された場合、１２Ｂ、１２Ｃに示すように、キャリッジ１８０は、水平ガイドトラック２２２、２２４に沿って、レールが第３下部コンベヤセクション２１４と整列する位置まで推進される。次に、キャリッジ内のステータを励起して、図１２Ｃに示すように、トレイ１６０を第３コンベヤセクション上に推進させる。予定目的地が上部コンベヤセクション２１６である場合、キャリッジ１８０は、垂直ガイドトラック２２６、２２８内のステータによって、図１２Ｄに示すように上部コンベヤセクションの高さまで持ち上げられる。次に、キャリッジのステータレールが励起されて、トレイ１６０をキャリッジ１８０から上部コンベヤセクション２１６上に推進する。
【００３１】
より複雑なコンベヤシステムが図１３に示されている。ここでは、２列のガントリ２２０、２２１を使用して、供給コンベヤセクション２３０から、垂直に積み重ねられたコンベヤセクションの水平方向にオフセットされた複数の列の水平コンベヤセクション２３２へ、またはそこから外へと、ガイドトラックに沿って水平方向および垂直方向にトレイ１８０付きキャリッジ１８０を動かし、以降の処理のために物品を有するトレイを集積する。処理予定の物品を運ぶトレイは、供給コンベヤセクション２３０から排出コンベヤセクション２３４へと、図１３に示すホームポジションにあるキャリッジ１８０を直接横切って通過する。集積セクション２３２のトレイが処理予定となったら、それらはガントリ２２１の位置およびキャリッジ１８０上に移動され、次にガイドトラックに沿ってホームポジションに移動され、それによってトレイはキャリッジから排出コンベヤセクション２３４へと出される。図１３のガントリ２２０、２２１には単一のキャリッジ１８０しか示されていないが、複数のキャリッジを用いてもよい。
【００３２】
図１４Ａ〜１４Ｃは、図１のコンベヤセクションのように二重ステータレール２４２、２４４を有する３つの供給コンベヤセクション２３６、２３８、２４０から構成される合流コンベヤの動作を示す。３つの供給セクション２３６、２３８、２４０は平行に並んで示されている。水平ガイドトラックの第１の対２４６は、左側および中央の供給コンベヤセクション２３６、２３８の共通端部で搬送方向１０６に対して垂直に延びる。ガイドトラックの第１の対２４６はこれらの２つのコンベヤを橋渡しして第１の方向転換セクションを形成する。第１のキャリッジ２４８（図１４Ｃ）は、トラックの第１の対２４６に乗って、トレイ１６０を水平方向に空間を横切って中央供給コンベヤ２３８に沿った排出コンベヤセクション２５０へと移動させる。右側の供給コンベヤセクション２４０は、他の２つの供給セクション２３６、２３８の端部を越えて第１のキャリッジ２４８の前端部から横方向に横切って端部２５２まで延びる。ガイドトラックの第１の対２４６と平行な第２の対２４７は、右側の供給コンベヤセクション２４０と排出コンベヤセクション２５０との間の空間を橋渡しする。ガイドトラックの第２の対２４７は、第２のキャリッジ２５４を駆動するための第２の方向転換セクションを形成する。トレイ１、トレイ２、およびトレイ３を排出コンベヤセクション２５０上に合体させるのに必要な一連の動作は次の通りである。
１．図１４Ａのように、右側の供給コンベヤセクション２４０のトレイ１を、第２のキャリッジ上に搬送する。
２．図１４Ｂのように、左側の供給コンベヤセクション２３６のトレイ２を、第１のキャリッジ上に搬送する。
３．キャリッジが排出コンベヤセクション２５０と整列するまで、第２のキャリッジ２５４とトレイ１を、ガイドトラックの第２のセット２４７に沿って横方向に移動させる。
４．キャリッジが排出コンベヤセクション２５０と一直線に並ぶまで、第１のキャリッジ２４８とトレイ２を、ガイドトラック２４６の第１のセット２４６に沿って横方向に移動させる。
５．２つのキャリッジ２４８、２５４がともに中央の供給コンベヤセクション２３８および排出コンベヤセクション２５０と一直線上にある状態で、これらすべてのレールを励起して、トレイ１、トレイ２、およびトレイ３を図１４Ｂのように排出コンベヤセクション上に推進させる。
６．必要に応じて、キャリッジ２４８、２５４を左右の供給コンベヤ２３６、２４０と一直線となる位置に戻し、図１４Ｃのように排出コンベヤセクション２５０上に合体される次のトレイのセットを集める。
この一段バージョンでは、垂直方向の昇降は必要とされず、キャリッジ２４８、２５４のレールを繋ぐ接続部材２５８内のトランスレータ２５６は、水平方向トランスレータのみを必要とする。搬送方向１０６を逆にすることによって、同じ構成のコンベヤセクションを１：３スイッチとして使用することができる。その場合、排出コンベヤセクション２５０は供給コンベヤセクションとして動作し、３つの供給コンベヤセクション２３６、２３８、２４０は、ガイドトラック２４６、２４７およびキャリッジ２４８、２５４をスイッチとして有する排出コンベヤとなる。
【００３３】
方向転換セクション８１８の他の形態が図５６に示されている。キャリッジ８２０が、キャリッジ本体８２６から垂下する後部および前部スカート８２２、８２４を具える。スカート８２２、８２４は、コンベヤトレイのように永久磁石アレイといった内蔵トランスレータを有する。方向転換セクション８１８は、図１のコンベヤセグメントのと同様のステータレール８２８、８３０を有する。キャリッジ８２０は、レール８２８、８３０によって規定されたトラックに沿って並進方向８３２に移動する。方向転換器のステータレール８２８、８３０を接合するクロスピース８３４は、キャリッジ本体８２６の左右両側から上方に延びるキャリッジレール８３６、８３８のステータを励起するコイルを収容している。キャリッジレール８３６、８３８が排出または供給コンベヤセクションのレール８４０、８４２と整列すると、キャリッジレールステータが励起され、図７のトレイのようにトレイ８４４をキャリッジの上へ誘導し、またはそこから外れるように推進させる。
【００３４】
図５７は、コンベヤトレイ８５６のためのエレベータプラットフォームを形成する２つのキャリッジ８５２、８５４を使用する二重レールエレベータ８５０を示す。キャリッジ８５２、８５４は、図５６に示すキャリッジ７２０と同様である。エレベータ８５０は、それぞれ左右のステータレール８６２、８６４を有する２つの上昇垂直コンベヤセクション８５８、８６０を具える。それぞれの上昇コンベヤセクション８５８、８６０の頂部には、第１の位置でステータレール８６５が左右のステータレール８６２、８６４と整列したシャトルコンベヤセグメント８６３がある。各シャトル８６３は、矢印８５７で示されるように、関連する上昇コンベヤセクション８５８、８６０からのキャリッジ８５２、８５４のうちの１つとともに、左右のステータレール８７３、８７５を有する２つの下向きコンベヤセクション８６９、８７１のうちの１つと横方向外側に並進する。シャトルが、それらのレール８６５が下向きレール８７３、８７５と整列した状態で第２の位置にあるとき、キャリッジ８５２、８５４は、エレベータ８５０の底部に戻るために下向きレール８７３、８７５上に進む。次に、上側シャトル８６３が、それらの第１の位置に内側に戻る。同一の下側シャトル８７７がエレベータ８５０の底部に配置されており、キャリッジ８５２、８５４を外側の下向きレール８７３、８７５から内側の上昇レール８６２、８６４まで搬送する。この昇降エレベータ８５０では、複数対のキャリッジが同時に走行することができる（シャトル８６３、８７７の動作はまた、水平方向ではなく垂直方向に同じように移動する、図２２Ａ〜２２Ｄに示されるエレベータキャリッジを参照して説明される）。上昇コンベヤセクション８５８、８６０は、コンベヤフレーム８６６内で互いに向き合って平行に配置されている。キャリッジ８５２、８５４は、垂直ステータレール８６２、８６４内のリニアステータと共にリニアモータを形成する、永久磁石アレイといったトランスレータを有する左右のスカート８６８、８７０を具える。リニアモータはキャリッジ８５２、８５４を上昇エレベータレール８６２、８６４の上方に駆動する。各キャリッジ８５２、８５４はその上端に上側ステータレール８７２を有する。キャリッジの上側レール８７２内のステータは、トレイのスカート８７４内のトランスレータと共にリニアモータを形成して、トレイ８５６をエレベータ８５０上に誘導するかその外に推進させる。２つのキャリッジ８５２、８５４は、互いに平行に上下に駆動され、それらの上側レールがトレイ８５６と水平な台を形成する。エレベータ８５０の底部で、上側キャリッジレール８７２は下側コンベヤセクション８７８のレール８７６と整列している。下側シャトル８７７の水平クロスピース８８０内のコイルは、キャリッジの上側レール８７２内のステータを励起する。励起されたキャリッジステータは、トレイ８５６をキャリッジプラットフォーム上に誘導するかキャリッジプラットフォームから離すように推進する。コイルはまた、同様にトレイ８５６を上側コンベヤセクション８８４に供給し、またはそこから受け取るために、エレベータ８５０頂部の上側シャトル８６３内の上側クロスピース８８２内にも配置されている。エレベータ８５０への電力が遮断された場合、各キャリッジ８５２、８５４は、キャリッジの落下を防ぐために係合するブレーキ（図示しないが後述する）を有する。
【００３５】
マルチトレイソータが図１５Ａ〜１５Ｃに示されている。一対の横並びの供給コンベヤセクション２６０、２６２が、４つのコンベヤトレイ２６４のグループを搬送方向１０６に搬送する。供給コンベヤセクション２６０、２６２は、空間２７０を横切って４つの排出コンベヤセクション２６６、２６７、２６８、２６９から離間している。２つの水平ガイドトラック２７２が、搬送方向１０６に対して垂直に空間２７０内に配置されている。ガイドトラック２７２は、トラックに沿って一対のキャリッジ２７４、２７６を支持し駆動する。キャリッジ２７４、２７６は、供給コンベヤセクション２６０、２６２からトレイ２６４を受け取り、それらを横方向に移動させて、図１５Ｂ、１５Ｃに示すように、それらを目的の供給コンベヤセクションに移動させる。次に、キャリッジレールが励起されトレイ２６４を目的の搬出コンベヤセクションへと推進させる。２つのキャリッジ２７４、２７６が、各供給コンベヤセクション２６０、２６２に対して１つずつ用いられる。マルチトレイソータを逆に動かすと、コンベヤの動作が、個々のトレイグループをより大きなマルチトレイへと結合するコンバイナの動作に変わる。
【００３６】
確実にトレイ２６４が供給コンベヤセクション上にグループとして一緒に留まるように、クランプ磁石が図１６に示すようにトレイ上に配置される。各コンベヤトレイ２６４は後部クランプ磁石２８０と前部クランプ磁石２８２とを有する。前後のクランプ磁石は、同じ供給コンベヤセクション上の先行および後行するトレイの前後のクランプ磁石を引き付ける。例えば、図１５Ａのトレイ１の後部クランプ磁石は、トレイ２の前部クランプ磁石を引き寄せて、トレイを左側の供給コンベヤセクション２６０上に一緒に保持する。前部クランプ磁石２８２または後部クランプ磁石２８０のいずれかを、先行トレイまたは後行トレイのクランプ磁石によって引き寄せられる鉄材料で置換してもよい。図１６に示すように、磁石は、トレイ２６４の前縁部２８６および後縁部２８７に垂直な方向２８４の極軸に沿って高い磁気クランプ力を与え、前縁部および後縁部に平行な方向に低い磁気剪断力を与えるように分極されている。この極性が、各供給コンベヤ上で連続するトレイを一緒に保持するが、それらを図１５Ｂ、１５Ｃのようにソートするためにキャリッジ２７４、２７６（図１５）によって容易に分離できるようにする。図１５Ａのトレイ１とトレイ３、またはトレイ２とトレイ４のように、各グループ内で横方向に隣接するコンベヤトレイを一緒に保持するために、コンベヤトレイ２６４は、コンベヤトレイの左右の縁部２９０、２９２に１またはそれ以上の左右のクランプ磁石２８８を有する。左右のクランプ磁石２８８は、左右の縁部２９０、２９２に平行な方向２９４の極軸に沿って高い剪断力をもたらし、左右の縁部に垂直に低いクランプ力とを及ぼすように分極されている。この方法により、横方向に隣接するトレイが供給コンベヤ内で横並びで一緒に保持され、ソートのためにキャリッジによって横方向に容易に分離できる。前後のクランプ磁石のように、左右のクランプ磁石の一方または他方を、クランプ磁石に引き寄せられる鉄材料で置換することができる。
【００３７】
図１のようなコンベヤセグメントと共に使用可能な直角エレベータセクションが、図１７に示されている。上昇位置に示すエレベータ３００は、クロスメンバ３０６によって平行に保持された左右のステータレール３０２、３０４を有するキャリッジ３０１を具える。垂直トランスレータ３０８が、後端部３１０および前端部３１２において左右のレール３０２、３０４から垂下している。これらのトランスレータは、エレベータレール３０２、３０４に埋設されたステータに電気的に接続されている。エレベータキャリッジ３０１が、各コーナーに埋設された垂直リニアステータが裏打ちされた垂直ガイドトラック３１６を有するフレーム３１４に支持されている。垂直ガイドトラック３１６を裏打ちするステータは、エレベータキャリッジ３０１を昇降させるトランスレータ３０８と共にリニアモータを形成する。エレベータフレーム３１４はまた、エレベータキャリッジレール３０２、３０４に対して垂直である一対の平行なステータレール３１６、３１８を有する。キャリッジ３０１がその下方位置にあるとき、キャリッジレール３０２、３０４は、フレームレール３１６、３１８のレベルよりも低い高さに位置して、コンベヤトレイがエレベータ３００に入るときにそれらのための間隙を提供する。
【００３８】
直角エレベータの動作が、図１８Ａ、１８Ｂに示されている。コンベヤトレイ３２０は、図１８Ａの供給コンベヤセクション３２２に沿って直角エレベータセクション３００に向かって前進するように示されている。供給コンベヤセクション３２２のレールは、トレイ３２０を下降したエレベータキャリッジ３０１上に移送できるように、エレベータフレームレール３１６、３１８と整列している。トレイ３２０が下降したエレベータキャリッジ上に来たら、エレベータ３００がキャリッジ３０１とトレイ３２０を図１８Ｂに示す上方位置に持ち上げる。トランスレータを有する左右のスカート３２４、３２６を有することに加えて、トレイ３２０は、トランスレータを有する後部および前部のスカート３２８、３３０を有する。トレイ３２０がエレベータ３００によってフレームレール３１６、３１８から持ち上げられると、それはキャリッジレール３０２、３０４に支持される。スカート３２４、３２６、３２８、３３０はトレイ３２０の隅までずっと延びていない。スリット３３２が、トレイ３２０の四隅のそれぞれにおいてスカート３２４、３２６、３２８、３３０に形成されている。スリット３３２は、トレイ３２０をエレベータ３００上に移送し、かつ排出コンベヤセクション３３４上に直角に移送できるように、エレベータレール用の通路を提供する。
【００３９】
図１９は、図１のようなコンベヤセグメントと、コーナーの図１７のような直角エレベータとで構成された四角いスパイラルコンベヤを示す。スパイラルコンベヤ３４０は、互いに垂直方向にオフセットした連続するコンベヤセクションの四面階段状スパイラルの１段を形成するように構成されたコンベヤセクション３４２から構成される。このスパイラルコンベヤの各コーナーにあるエレベータセクション３００が、トレイ３２０を１の垂直レベルから次の垂直レベルへ上昇または下降させる。追加のコンベヤセクション３４２とコーナーの直角エレベータ３００で複数の段を形成することができる。
【００４０】
図２０Ａ〜２０Ｃは、エレベータキャリッジ用の上り通路と、水平方向にオフセットした下り通路とを有するエレベータを示す。供給コンベヤセクション３５０がトレイ１６０を上昇エレベータ３５２に送り、これがエレベータキャリッジ３５６のための垂直ガイドトラック３５４を提供する。そのステータレールが供給コンベヤセクション３５０のステータレールと整列した状態の垂直トラック３５４によって画定される上昇ガイド経路の底部にあるキャリッジ３５６がトレイ１６０を受ける。垂直ガイドトラック３５４内のステータは、キャリッジ３５６の角部にある２軸トランスレータ３５８の垂直トランスレータを励起して、図２０Ｂに示すように、キャリッジとその上に着座しているトレイ１６０とを上昇させる。キャリッジ３５６が上昇ガイド経路の頂部に達すると、上側水平ガイドトラック３６０に沿った水平ステータが、２軸トランスレータ３５８の水平トランスレータを励起して、上昇エレベータ３５２の頂部から下降エレベータ３６２の頂部へとキャリッジ３５６を移動させる。下降エレベータは、上昇ガイド経路に隣接する下降ガイド経路を画定する垂直ガイドトラックを有する。下降ガイド経路は、空のキャリッジ３５６のための戻り路として機能する。下側水平ガイド経路３６４は、トレイを上昇エレベータ３５２の底部の定位置に戻して別の入来トレイ１６０を受ける状態に戻す。かくして、エレベータは、上昇および下降ガイド経路と、上側および下側水平ガイド経路とによって形成された閉ループの周りを多数のキャリッジ３５６が周回できるようにする。トレイ運搬キャリッジ３５６が、図２０Ｃに示すように、下降エレベータ３６２の頂部にあるときに、キャリッジのレールステータが励起され、トレイ１６０を排出コンベヤセクション３６６上に推進させる。排出コンベヤ３６６は、上から吊り下げられたパイプ３６８内に収容して、何かがトレイから床の上や下の人もしくはコンベヤ上に落下するのを防ぎ、外部ソースからのコンベヤトレイ１６０上の製品の汚染を防ぐ。
【００４１】
２軸トランスレータ３５８の詳細が図３１に示されている。コア４８２の外側に向いた磁極面４８０がアレイ状に配置されている。コア４８２の三相水平および垂直巻線４８４、４８５により、トランスレータ３５８がキャリッジレールに平行な方向４８６に垂直または水平に移動できるようになる。キャリッジ３５６は、トランスレータハウジングから吊り下げられた安全ブレーキ４８８を有する。図３２Ａ、３２Ｂに示すように、安全ブレーキ４８８は、外向きに付勢されたコイルばね４９６を介して外向きの永久磁石４９４に接続されたプランジャ４９２を有するソレノイド４９０を具える。図１１に示すように、ソレノイド４９０はトランスレータ巻線と電気的に直列である。キャリッジ３５６に電力が供給されている限り、ソレノイド４９０は図３２Ａに示すように作動し、キャリッジ３５６がエレベータガイドトラックに沿って移動できるように、プランジャ４９２および磁石４９４をエレベータガイドトラックから内側に離れさせる。キャリッジ３５６への電力が消失すると、ソレノイド４９０が停止し、圧縮されたばね４９６が解放されて図３２Ｂのようにプランジャ４９２と磁石４９４とをトランスレータハウジングの外側４９８の制動位置まで外側に付勢する。制動位置における磁石４９４はガイドトラックの金属に十分に近くなり、電力供給されていないキャリッジ３５６を所定位置に保持してエレベータ底部に急降下するのを防止するために磁気吸引する。
【００４２】
図２１Ａのコンベヤトレイ３７０は、図２１Ｂに示すようにコンベヤトレイ３７０用のカバーとして使用することができる。トレイ３７０は、物品搬送面３８０の後縁部３７６および前縁部３７８から直立する後壁３７２および前壁３７４を有すること以外は、カバートレイ１６０とほぼ同じである。図２１Ｃに示すように、カバートレイ１６０の下側は、カバートレイ３７０の２つの壁３７２、３７４の上に支持されている。後壁３７２および前壁３７４は、スカート１７２、１７４の間のカバーの後端および前端の隙間を埋めるように図のように形成されて、２つのトレイ３７０、１６０の間の体積を完全に封入することができる。
【００４３】
トレイ３７０をカバートレイ１６０でカバーしたり外すためのコンベヤが図２２Ａ〜２２Ｄに示されている。図２２Ａでは、カバートレイ１６０は上側コンベヤセクション３８０に沿って第１の搬送方向３８２に開放端３８４に向かって搬送されている。カバーされるべき壁付トレイ３７０が、上側コンベヤセクション３８０の真下の下側コンベヤセクション３８６上を同じ方向３８２に進む。キャリッジ３８８を含むエレベータセクション（フレームとガイドトラックは図示せず）が、図２２Ｂのようにキャリッジが下方位置にあるときに、下側コンベヤセクション３８６と、整列された第２の下側コンベヤセクション３９２との間の空間３９０をブリッジする。エレベータは、トレイ１６０と共にキャリッジ３８８を上方位置へと上昇させて、図２２Ｃに示すようにカバートレイ１６０を受ける。カバートレイ１６０が下側の壁付トレイ３７０を覆う定位置に配置されると、エレベータキャリッジ３８８が下降され、キャリッジ内のステータレールと第２の下側コンベヤ３９２が励起されて、図２２Ｄのようにカバー付きトレイを下流側に推進させる。
【００４４】
下側トレイ３７０は、図２３Ａ〜２３Ｃに示すように覆われていない。カバー付きトレイ３７０およびカバー用トレイ１６０は、図２３Ａに示すように、その下方位置にあるエレベータキャリッジ３８８に向けて搬送方向３９４に第２の下側コンベヤセクション３９２上を搬送される。上側コンベヤセクション３８０のステータレールの端部３９６、３９７は、図２３Ｂに示すように、カバートレイ１６０が第１の下側コンベヤセクション３８６上に進む際に、カバートレイ１６０が下側の壁付トレイ３７０とさらに前進するのを防止するストッパとして作用する。壁付コンベヤトレイ３７０がエレベータキャリッジ３８８から離れると、エレベータはキャリッジを上方位置まで上昇させ、キャリッジのステータレールを励起し、図２３Ｃに示すようにカバートレイ１６０を上側コンベヤセクション３８０上に推進させる。
【００４５】
図２４、２５は、図１のようなコンベヤセグメントで構成されたコンベヤに利用可能な方向転換セクションを示す。方向転換セクション４００は、例えばリングである円形トラック４０２を具え、それは円形トラックの周りに角度αを成す湾曲ステータ４０４を収容する。同一の湾曲ステータ（図示せず）が、円形トラック４０２内で湾曲ステータ４０４と正反対にある。円形トラック４０２は、ダイバータフレーム４０６内で支持されている。２つの直交する対のサイドレール４０８、４１０が、円形トラック４０２のレースウェイレッジ４１４に乗っているトランスレータ４１２上に支持されている。一対のサイドレール４１０が任意である。サイドレール４０８、４１０は、修理、交換、または清掃のためにレッジ４１４から手で持ち上げることができる。
【００４６】
図２６Ａ〜２６Ｄは、図２４および２５の方向転換セクション４００を用いた方向転換コンベヤを示す。方向転換セクション４００は、供給コンベヤセクション４１６、インライン排出コンベヤセクション４１８、およびサイドオフコンベヤセクション４２０の間のギャップ４０１（図２６Ｃ）に存在する。供給コンベヤセクション４１６は、トレイ１６０を搬送方向１０６に方向転換セクション４００に向けて搬送する。円形トラック４０２内の湾曲したステータは、方向転換器４００内のインラインレール４０８内のステータを誘導的に励起して、図２６Ｂに示すように先行トレイ１６０Ａを方向転換器を横切ってインライン排出コンベヤセクション４１８上に真っ直ぐに送る。サイドオフ排出コンベヤセクション４２０へと方向転換させたいトレイ１６０Ｂが方向転換器４００に到達すると、湾曲ステータが励起されて、図２６Ｃに示すように、インライン方向転換レール４０８がサイドオフコンベヤセクション４２０のレール４２２と整列するまで、トランスレータを方向転換角度δにわたって回転させる。円形トラック４０２の湾曲ステータは、次に方向転換レール４０８内のステータを励起して、図２６Ｄに示すように、トレイ１６０Ｂをサイドオフコンベヤセクション４２０上へと推進させる。静止した湾曲方向転換ステータによって範囲が定められる角度α（図２５）は、コンベヤの方向転換角度δ以上である。図２６Ａ、２７に示されるように、排出コンベヤセクション４１８、４２０のレールは、通過するトレイスカートを通すためにそれらの交差部にノッチ４２４、４２６を提供するように凹んでいる。
【００４７】
湾曲した下側リターン路を有するコンベヤを図２８に示す。このコンベヤは、真下に湾曲した下側リターン路４３２を有する、平坦な上側主搬送路セクション４３０を具える。上側搬送路４３０は、図１のような１またはそれ以上のコンベヤセグメントから構成される。下側リターン路は同様のセグメントで構成されているが、湾曲したレールを有する。そして、下側リターン路コンベヤセクションの部分部分は、ゴンドラのように、搬送路セクション４３０の端部と同一平面上にある２つの端部４３４、４３６を具える。搬送路セクション４３０のレールと端部４３４、４３６とは、狭い間隙４３８、４４０を横切って整列している。間隙４３８、４４０は、搬送路セクション４３０上のトレイ１６０が少し減速して通過するのに十分に狭く、トレイが搬送路セクションに接触することなくリターン路セクション４３２上へと移動するのに十分に広い。
【００４８】
図２９Ａ、２９Ｂは、トレイの下側４５６に２つの直交する対のトランスレータ４５２、４５４を有するスカートレストレイ４５０を示す。トレイ４５０の上面４５８は平らな物品支持面を提供する。トランスレータ４５２、４５４は、その磁場がトレイの物品支持面４５８と下面４５６とに対して鉛直に向けられた永久磁石アレイを具える。後述するように、磁気浮上のために、ハルバッハ配列などのコーナー磁石４５９がトレイ４５０のコーナーに任意に配置される。トレイはまた、トレイを図３０のように大きなマルチトレイ４６２を形成するために使用できるように、側面、前面、および背面のクランプ磁石４６０をトレイの側部に具えることができる。これらのクランプ磁石は、図１６に示すトレイ２６４のものと同様である。下にトランスレータを有するスカートレストレイ４５０は、トランスレータ４５２、４５４と共にリニアモータを形成するステータを有するフラットトップレール４６６上を走行するように設計されている。埋設されたステータを有するレール４６６は、トレイ４５０のトレイガイドとして機能する。図３０において、マルチトレイ４６２の形成を可能にするために、２つのコンベヤセクション４６８、４７０が並んで配置されている。接続構造４７２が、左右のレールを平行に維持している。
【００４９】
本発明の特徴を具体化したコンベヤセグメントの他の変形例を図３３、３４に示す。コンベヤセグメント５００は、セグメントの一端から他端まで長さ方向に延びる２本の平行なステータ５０２、５０４を具える。ステータ５０２、５０４はアイアンレスであり、トレイ４５０上の対向するトランスレータ４５２（図２９Ｂ）間の距離と実質的に同じ距離だけ離間している。ステータ５０２、５０４はそれぞれ、搬送方向５０６にステータの長さに沿って進む磁束波を生成する。
【００５０】
導電性磁気浮上（マグレブ）プレート５０８、５１０が、ステータ５０２、５０４の横方向外側にコンベヤセグメント５００の長さに沿って延びる。図２９Ｂに示すようなコンベヤトレイ４５０はステータ５０２、５０４によって搬送方向５０６に推進されるが、トレイのコーナーマグネット４５９（図２９Ｂ）は、コーナーマグネットの磁場と反対の無効磁場を発生させ、トレイを浮上させて低摩擦走行させるのに十分な力で磁気浮上プレート５０８、５１０に電流を誘導する。位置センサ５１１が、コンベヤセグメント５００の長さに沿って配置されて、それらの位置においてトレイの存在を検出し、その検出を示すセンサ信号を電子駆動制御回路５１２に送信する。駆動制御部５１２への電力および通信配線は、コンベヤフレーム５１４の脚部５１６を介して外部回路またはコンピュータに配線することができる。ステータ５０２、５０４、位置センサ５１１、電子駆動制御回路５１２、および配線はすべて、平坦な上面５２０を有し、それに沿ってトレイが推進されるトレイガイドを形成するトレイガイドハウジング５１８内に封入されている。両側に沿った各端部のハウジング５１８のすぐ内側には、整列用磁石５２２、または磁石に引き寄せられて図５のように隣接する部分を整列させる鉄要素がある。図３０、３４のコンベヤセグメントでは、トレイガイドは、図１のコンベヤセグメントのトレイガイドのように直接接触するのではなく、磁気浮上によってトレイガイドの頂部に沿ってトレイを支持する。図６のトレイのように、トレイ４５０は、連結または他のコンベヤ構造から干渉を受けることなく取り外しや交換が容易である。
【００５１】
図３５は、図３３の磁気浮上プレート５０８、５１０がエアダクト５２４、５２６によって置き換えられたコンベヤセグメントの他のバージョンを示す。空気源（図示せず）からの加圧空気がダクト５２４、５２６に注入され、ダクト頂部にある開口部５２７を通して放出されて、エアクッション上にコンベヤトレイを浮揚させる。この場合、図２９Ｂのようなコーナー磁石４５９はトレイ４５０に不要となる。
【００５２】
隣接するコンベヤセグメント５００、５００’の横方向整列を図３６に示す。この例では、一方のコンベヤセグメント５００が、片側に一対の整列用磁石５２２を有し、他方の側に一対の鉄要素５２３を有する。隣接するコンベヤセクション５００’の対面する端部は、片側に一対の磁石５２２を有し、他方の側に一対の鉄要素５２３を有する。磁石５２２は鉄要素５２３を引き付ける。磁石５２２および鉄要素５２３の横方向寸法は一致しており、当接セグメント５００、５００’の正確な横方向位置合わせができる。もちろん、全ての鉄要素５２３は、隣接するコンベヤセグメントの対向する磁石と反対の極性の磁石と置換することができる。しかし、磁石５２２と鉄要素５２３を上記のように配置することによって、すべてのセグメントを同じにすることができ、磁石の極性は関係なくなる。
【００５３】
図３７のコンベヤセクション５２４に示すように、カバー５２６が、隣接するコンベヤセグメント５００のハウジング５１８間に滑らかな接合部をもたらす。図３７が示すように、コンベヤトレイ４５０は個別に進めてもよいし、車列状に一緒に進めてもよい。
【００５４】
図３８、３９は、１対Ｎスイッチ用のコンベヤ構成を示す。単一の供給コンベヤセクション５３０が、コンベヤトレイ４５０を、供給コンベヤセクション５３０に対して垂直に長さ方向に延びるｘ−ｙコンベヤセグメント５３２上に供給する。ｘ−ｙコンベヤセグメント５３２は、互いに直交する２対のステータ５３４、５３６を有する。第１の対のステータ５３４は、トレイ４５０を主搬送方向５３８に駆動する。第２の対のステータ５３６は、トレイ４５０を主搬送方向に対して横方向に、Ｎ個（３個が示されている）の排出コンベヤセクション５４０のうちの１つへと駆動する。第１のステータ５３４はトレイ内の左右のトランスレータと共にリニアモータを形成し、第２のステータ５３６は前後のトランスレータと共にリニアモータを形成する。対のステータに隣接する導電性プレート５４２が、それらがｘ−ｙコンベヤセグメント５３２に沿って前進する際にトレイ４５０を浮揚させる。
【００５５】
合流コンベヤが図４０に示されており、ここではＮ個（３個が示されている）の供給コンベヤセクション５４４Ａ〜５４４Ｃがコンベヤトレイ４５０を主搬送方向５４６に、ｘ−ｙコンベヤセクション５４８へと推進させる。ｘ−ｙコンベヤセクション５４８は、トレイ４５０を供給セクション５４４Ａ〜５４４Ｃから誘導し、それらを単一の排出コンベヤセクション５５０へと移送する。合流コンベヤのトポロジーは、主搬送方向を逆にした図３８、３９のスイッチコンベヤのトポロジーと同じである。
【００５６】
図２９Ａ、２９Ｂに示すようなコンベヤトレイ４５０用のマルチレベルコンベヤ５５２が、図４２に示されている。図示のようなコンベヤのレイアウトは、図１２Ａ〜１２Ｄに示した三次元トレイソータのレイアウトと同じである。その動作は同様である。水平および垂直ガイドトラック５５４、５５６に沿ったコンベヤステータが、トレイ支持キャリッジ５５８を横方向および垂直方向に推進させる。図４１にさらに詳細に示されるキャリッジ５５８が、トランスレータハウジング５６２内の各隅に２軸トランスレータ５６０を有する。これらのハウジングは、ガイドトラック５５４、５５６に乗るように形成されている。キャリッジ５５８はまた、ハウジングと共にキャリッジトレイガイドを形成するキャリッジ本体に埋設された一対のステータ５６４を有する。これらのステータは連続的な頂部のトレイガイド面５６１の下にあり、トレイ４５０をキャリッジ内に誘導し、およびその外へ推進させる。図１０のキャリッジのように、キャリッジ５５８はコーナーに重量センサ５６３を有してもよい（図４１には１つのみ示す）。重量センサ５６３は、ステータ５６４と一緒に、ガイドトラック５５４、５５６に沿ってコンベヤステータから誘導的に電力を受け取るトランスレータ５６０を通じて通信し電力供給される。導電性ストリップ５６５は、図３３の浮上コンベヤセグメント５００の導電性ストリップ５０８、５１０のように、ステータ５６４と並んでキャリッジ５５８に沿って延在し、トレイ４５０を浮揚させるのに使用される。
【００５７】
コンベヤトレイの他の変形例が図４３、４４に示されている。トレイ５７０は、平らな上面に物品を支持するのではなく、トレイの本体の厚さを通って延在するローラ５７２の上に物品を支持する。左右の固定コンベヤ側壁５７４、５７５の下の駆動ステータ（図示せず）がトランスレータ（図示せず）と協働して、トレイ５７０の左右の縁部５７６、５７７に沿って主搬送方向５７８に推進する。トレイ５７０の前壁５８０および後壁５８１が、始動、停止、および他の加速時に物品がトレイの前端や後端から落下するのを防止する。ローラ５７２は、トレイ本体の上面５７１および下側に開口するキャビティ５７３内にあり、主搬送方向５７８に対して斜めの回転軸５８２を規定する軸上で自由回転可能である。右側コンベヤ側壁５８５の開口部５８６に隣接してコンベヤフレームに支持された細長い作動ローラ５８４が、主搬送方向５７８に平行な軸５８８を規定する軸上で自由に回転する。作動ローラ５８４は、トレイローラ５７２の列と一直線上に配置されている。トレイ５７０が作動ローラ５８４を通過すると、トレイローラ５７２の底部はそれらの斜軸５８２を中心に回転し、ローラの頂部の物品をトレイ５７０の側面から離れるように、開口部５８６を通して右側に逸れた方向５９０に押し出す。車軸を持たず全方向に回転可能なローラボールを代わりにトレイに使用し、同じ作動ローラによって作動させることもできる。
【００５８】
図４４は、図４３と同じ傾斜角で配置されたローラ５７２を有するトレイ５７０を具える同じコンベヤを示す。一組の作動ローラ５８４’が、左側壁５７４の開口部５９２に隣接してコンベヤフレーム内に支持されている。主搬送方向５７８に移動するトレイ５７０は、作動ローラ５８４’を通過した後に停止する。ステータの磁場が、作動ローラ５８４’を越えてトレイ５７０を逆方向５９４に駆動するように反転される。作動ローラ５８４’と主方向とは反対の逆方向５９４で係合しているトレイローラ５７２が反対方向に回転して、搬送された物品を左側壁５７４の開口５９２を通して左側に逸れた方向５９６に押す。
【００５９】
図４５のコンベヤトレイ６００は、列状に配置された重ねられたローラセット６０２（図４５Ａ）を有する。各組の底部ローラ６０４はトレイ６００の下側を越えて突出している。頂部ローラ６０６はトレイ６００の上面６０８を越えて突出している。少なくとも物品を支持する際に、頂部ローラ６０６は底部ローラ６０４の上に載っているので、底部ローラが一方向に回転すると頂部ローラは反対方向に回転する（図４５Ａのローラセットは、明確のために、頂部ローラ６０６用の側部支持体や車軸なしで示されている）。頂部および底部ローラ６０４、６０６は両方とも、搬送方向５７８に対して斜めの軸６１０、６１１を規定する平行な軸上で回転するように配置されている。コンベヤトレイ６００が作動ローラ５８４を越えて推進されると、底部ローラ６０４がそれらの軸６１０で前方に回転し、これにより物品を支持する頂部ローラ６０６が後方に回転する。頂部トレイローラ６０６の後方回転成分は、コンベヤに沿ったトレイ６００の前進運動に等しいので、物品は主搬送方向５７８に垂直な逸れた方向６１２にトレイから方向転換される。
【００６０】
図４６、４６Ａに示すコンベヤトレイ６１４は、主搬送方向５７８に平行な回転軸６１８を規定する軸上で回転するトレイローラ６１６を有する。コンベヤフレームに支持されたキャスタ状の作動ローラ６２０のアレイが、この変形例ではトレイ−ローラ動作を提供する。自由回転可能な作動ローラ６２０は、それらの回転軸６２２を変えるためにラックアンドピニオンシステムによって垂直軸６１３を中心に旋回可能である。図のように作動ローラ６２０が主搬送方向５７８に対して斜めに傾斜した状態で、トレイローラ６１６が回転して物品をトレイ６１４を横切って右側壁６２６の開口部６２４に向かって押す。トレイローラ６１６が前後のトレイ壁６１７、６１９に接触することなく物品をトレイに対して９０°でトレイから押し出すが、それらは搬送方向５７８へのトレイの動きのために、開口部６２４を通って斜め方向６２８に出る。作動ローラ６２０が旋回し、それらの軸６２２が主搬送方向の反対側で同じ傾斜角になると、作動トレイローラ６１６が左側壁６２７に向かって開口部６２５を通って逸れた方向６２９に回転する。したがって、このコンベヤは、作動ローラ６２０の向きを変えることによって両方向に物品をトレイから逸らすのに有用である。
【００６１】
図４３〜４５の受動作動ローラ５８４は、トレイローラ５７２、６０４が乗る平坦な支持面の形態であるトレイ−ローラアクチュエータによって置換することができる。平坦な支持面は静止していてもよいし、あるいはベルトの外面のような移動面であってもよい。あるいは、トレイ−ローラの回転は、磁気的または電磁的に達成されてもよい。一例として、コンベヤフレームに支持されたトレイ−ローラアクチュエータは、永久磁石、電磁石、または図４３〜４６のトレイローラ５７２、６０４、６１６の鉄、磁性、または導電性ロータと相互作用する磁場または電磁場を生成するステータであり得る。図５５は、サイドレール１０２、１０４の間の滑らかなハウジング内に収容されたリニアモータステータ７１２を有する図１のようなコンベヤセグメント１００を示す。コンベヤトレイ７１４は、ステータ７１２と共にリニアモータを形成する永久磁石または導電性材料で作られたロータを有するローラ７１６のアレイを有し、これがローラ７１６を選択的に回転させることができる。
【００６２】
レールスクラバ６３０が図４７、４８に示されており、これはコンベヤセグメント６３４のレール６３２、６３３に乗っている。この例では、スクラバ６３０は、３つの流体タンク、すなわち石鹸タンク６３６と、水タンク６３７と、消毒剤タンク６３８とを有している。各タンクは、逆Ｕ字型の脚部間に空間を有する逆Ｕ字型形状をしている。駆動モータおよびバッテリ（図示せず）を含む駆動システムが、この空間に収容されたハウジング６４０に配置されている。バッテリによって電力供給されるモータが、レール６３２、６３３に沿ってスクラバ６３０を駆動するために前または後の駆動輪６４２、６４３あるいはその両方を駆動する。車輪６４２、６４３が、ハウジング６４０を通って延びる車軸６４４に取り付けられている。車軸６４４は駆動モータに連結されている。車輪６４２、６４３はそれぞれ、レール６３２、６３３を受けて脱線を防止する中央溝６４６を有する。スクラバ６３０はまた、両方のレール６３２、６３３をスクラブするために少なくとも１組のスクラビングホイール６４８、この例では２組のスクラビングホイール６４８を具える。駆動輪６４２と同様に、スクラビングホイール６４８は、中央ハウジング６４０を通って延びる車軸６５０に取り付けられている。スクラビングホイール６４８も駆動モータによって駆動されるが、おそらくは駆動ホイール６４２よりも高速で回転するように別に連動されている。あるいは、スクラバホイール６４８は、別個のモーターによって駆動されてもよい。スクラビングホイール６４８は、間隙によって分離された２つのホイール半体を具える。２つのホイール半体の向かい合う面のスクラブブラシパッドが、間隙に受容されたレールをこする。石鹸、水、および消毒剤のディスペンサー６５２、６５３、６５４が、タンク６３６、６３７、６３８に接続された取り付け具６５５と、上側および下側のスプレーノズル６５６、６５７と、取り付け具を下側ノズルに接続する管６５８とを具える。ディスペンサー６５２、６５３、６５４がタンク６３６、６３７、６３８の両側にあり、ノズルがレール６３２、６３３の頂部と底部にスプレーを向けている。ハウジング６４０はまた、駆動ホイールとスクラビングホイールの速度を制御するスクラバコンピュータならびに他の電子回路や電源回路を収容する。
【００６３】
レールスクラバ６３０は、レール６３２、６３３内のステータ巻線から、レールに沿って走行するスクラバ付加物６６２、６６３に収容された二次コイル巻線を介して誘導的に電力を受け取る。単一のコイルで十分であり得る。変圧器の作用によってコイルに伝達された交流電力は直流電力に変換されて電子機器に電力を供給し、バッテリを充電するかモータを駆動する。あるいは、駆動輪６４２またはスクラバホイール６４８、あるいはその両方は、レールステータに駆動される磁気的または電気的に伝導性のロータを具えることができる。その場合、駆動モーターは必要なくなる。あるいは、二次コイルは、スクラバをレールに沿って押すことによってレールに沿って移動するレール−ステータが生成する磁束波に反応するトランスレータに置換することができる。その場合、駆動ローラ６４２は、駆動モータに連結されていないアイドルホイールとすることができる。
【００６４】
図４７のスクラバ６３０の頂部および側部は、図４８に示されるように、滑らかなステンレス鋼カバー６６０によって覆われている。スクレーパ６６４が、カバー６６０の前面６６６から外側に延びている。このスクレーパ６６４は、逆Ｕ字形の横断面と、テーパ状の上面６６８と、逆Ｕ字形に収容されているトレイ駆動レール６３２、６３３からバルク破片を除去するためのテーパ状の側面６７０とを有する。スクレーパ６６４は、カバー６６０の前面６６６から内側に離間している。
【００６５】
図３３、３４におけるコンベヤセグメント５００のトレイガイドハウジング５１８の上面５２０を清掃するための同様のスクラバ９１０が、図５９に、カバーなしで示されている。このスクラバは、その車輪９１２がレールに乗らない点で図４７のスクラバとは異なっている。むしろ、それらはトレイガイドハウジング５１８の上面５２０に沿って移動する。別の相違点は、スクラバホイール９１４が図４７のスクラバホイール６４８から９０°回転していることである。スクラバホイール９１４の底部のブラシ９１６が、トレイガイドの上面５２０をこする。水、石鹸、および消毒剤がスプレーノズル９１８を介して上面５２０に噴霧される。スクラバは、内部バッテリによって、またはコンベヤセグメント内のステータと、スクラバ９１０用のトランスレータを形成する永久磁石または導電性ロータとによって形成されたリニアモータによって電力供給される。
【００６６】
用途によっては、特定の製品の輸送に使用されるトレイが、他の製品の輸送に使用されないようにすることが重要である。これは、相互汚染が許容されない場合に特に当てはまる。１つの製品用のトレイが他の製品に使用されるのを防ぐことによって相互汚染を回避する１つの方法が図４９に示されている。４つの別々のコンベヤライン６７１、６７２、６７３、６７４が示されている。各コンベヤラインは個々の製品タイプまたはファミリ専用であり、トレイ６８１、６８２、６８３、６８４は個々の製品タイプまたはファミリに許容可能なキャリアとしての識別子を有する。そのため、各トレイは、識別子から判別可能な多数のファミリのうちの１つに割り当てられている。識別子は、コンベヤに沿って検知位置に配置された、またはコンベヤステータレール６７８内に埋設されたセンサ６７６によって検出できるものなら何でもよい。識別可能な印６７５の例には、トレイ形状、トレイの色、トレイのマーキング、バーコード、光学センサによって読み取ることができるかビジョンシステムによって特定できる他の製品コード、ＲＦＩＤリーダによって読み取り可能なＲＦＩＤタグ、および磁気センサで読み取り可能なトレイ上の磁石配置が含まれる。センサ６７６がセンサのコンベヤに割り当てられていないファミリからのトレイを検出すると、このセンサ信号を受信したローカルまたはシステムコントローラ６７９がコンベヤを停止し、警報を鳴らすかまたは警告を表示してオペレータが問題のトレイを取り除くことができる。
【００６７】
温度などのプロセスパラメータを検出する他のセンサを、有効なプロセス温度範囲および滞留時間を検出するために使用することもできる。例えば、トレイ洗浄プロセスでは、トレイセンサが、適切な洗浄、すすぎ、および乾燥サイクルを検証するために使用される。プロセスセンサが、トレイ自体の中または上に、あるはトレイが処理にかけられるコンベヤラインに沿って配置されてもよい。
【００６８】
本例に示されるコンベヤライン６７１〜６７４のそれぞれは、トレイ６８１、６８２、６８３、６８４が製品を運ぶ搬送路を規定する主コンベヤセクション６８６と、上が空のトレイのリターン搬送路を規定するリターンコンベヤセクション６８８とを具える。主コンベヤセクション６８６の供給側端部は、供給切換部６９０によってリターンセクション６８８の排出端部に連結されている。主コンベヤセクション６８６の排出端部は、排出方向転換セクション６９２によってリターンセクション６８８の供給側端部に連結されている。方向転換セクション６９０、６９２は、図１４Ａ〜１４Ｃに示すものと同じでよい。
【００６９】
第４のコンベヤライン６７４の動作の説明は、他の各コンベヤライン６７１〜６７３の動作方法を例示する。主コンベヤセクション６８６に沿って所定の実行予定のプロセスに割り当てられたファミリのトレイ６８４が、供給方向転換器６９０によってリターンコンベヤセクション６８８から主コンベヤセクションに供給される。第４のコンベヤライン６７４専用のものとしてコントローラ６７９によって識別されたセンサ６７６を通過するトレイ６８４のみが、主コンベヤセクション６８６上へと通される。トレイ６８４が主コンベヤセクション６８６上でそれらの処理を完了し、それらの製品が取り出された後、それらは排出方向転換期６９２によってリターンコンベヤセクション６８８に戻されるか、清掃のために他の場所に向けられる。清掃されたトレイはリターンコンベヤセクション６８８に戻すことができる。あるいは、洗浄プロセスは、１または複数の密閉型自動洗浄ステーション６８９内の戻りコンベヤセクション６８８に沿って自動的に実行することができる。本出願に記載されているすべてのトレイコンベヤのバージョンにおいて、手動によるトレイの取り外しや洗浄の代わりに、全自動洗浄ステーションエンクロージャ６８９を１以上の洗浄ゾーンのリターンセクションに設置することができる。あるいは、洗浄ゾーンの洗浄ステーションは、全手動または半自動であり、人間の補完的な活動を必要としてもよい。記載されている複数ステータのコンベヤシステムのリターンセクション内の洗浄ステーションは、単一ステータのトレイコンベヤにも使用することができる。
【００７０】
プロセスの完了時または容認できないコンベヤトレイが検出された時にコンベヤセクション６８６、６８８、６９０、６９２を清掃する必要または要求がある場合、例えば清掃のためにすべてのトレイ６７４を取り外して隔離し、図５０に示すように、スクラバ６３０がコンベヤライン６７４上に配置される。スクラバ６３０は、レール６９４から残留物を除去するために、すべてのコンベヤセクション６８６、６８８、６９０、６９２に沿って走行する。スクラバ６３０がレール６９４を洗浄した後、コンベヤライン６７４から取り除かれる。次いで、隔離されていたトレイ６８４をコンベヤライン６７４上、典型的にはリターンコンベヤセクション６８８上に戻すことができる。不適切なトレイが検出された場合に、レールの清掃が必要とされてもよい。
【００７１】
あるいは、コンベヤライン６７４は、異なるプロセスに対して、または異なる製品に対する同じプロセスに対して使用することができる。前回のプロセス実行の製品または副産物からの汚染が許容できない場合は、実行中のプロセスに固有の識別可能な異なるファミリのトレイのが使用される。例えば、ピーナッツに関するアレルゲンによる汚染を回避するために、ピーナッツプロセス作業の後に別の食品に対する次のプロセス作業を続けることができる。ローカルまたはシステムコントローラ６７９は、センサ信号に基づいて、所定のファミリのプロセス固有または製品固有のトレイを通過させ、他のプロセスまたは製品専用の他のファミリのトレイをロックアウトする。図４９に示すのと同様に、４つのコンベヤライン６７１〜６７４は、対応して割り当てられたコンベヤトレイ６８１〜６８４を有する４つの異なる製品またはプロセス１〜４に専用のものとすることができる。ローカルまたはシステムコントローラは、センサ６７６でトレイを識別すると、許可されていないトレイをロックアウトする。このようにして汚染が回避される。化学工業、生物医学工業、製薬工業、食品工業、および電子工業などの繊細なプロセスでは、壁６９６などの障壁によって異なる工程を異なるゾーンに分離する必要がある。ここで説明した方法が、これらの状況にも適用される。
【００７２】
相互汚染を防止するための別の方法は、特定のファミリのトレイだけがコンベヤと幾何学的にまたは駆動可能に適合するようにトレイを作ることである。例えば、特定のプロセス用のコンベヤは、特定のファミリのトレイにのみ適合するレールゲージを有してもよい。あるいは、特定のファミリのトレイ内のトランスレータとのみ整列するステータをコンベヤセクションに配置してもよい。
【００７３】
同じ高さリターン部を有する頭上式パイプコンベヤを図５１Ａおよび５１Ｂに示す。このパイプコンベヤ７２０は、同じ高さで互いに平行で両端部が開いている２本の細長いエンクロージャまたはパイプ７２２、７２４を具える。ステータ（図示せず）が搬送面、本例では床の左右の側面７２６、７２８にあるパイプ７２２、７２４の内底の床７２５に沿って延びて、図７の例のようにコンベヤトレイ７３０を推進する。パイプ７２２、７２４は、ケーブルやロッドなどのアタッチメント７３２によって上方から吊り下げられてもよい。２つのパイプ７２２、７２４は、供給パイプ７２２の排出端と、リターンパイプ７２４の再入端とで開口している。キャリッジアセンブリが、傾斜可能なキャリッジ７３４と、キャリッジが並進する部分的な円筒の形態のガイドトラック７３６とを具える。キャリッジ７３４は、ロータトランスレータに固定された一対の垂下アーム７４２によってロータトランスレータ７４０を介して接合された左右一対のステータレール７３８を有する。θ−ｚステータ７４４が、円筒形ガイドトラック７３６の内側に沿って配置されている。θ−ｚステータ７４４は、ガイドトラック７３６に沿って円周方向に（θ内で）移動する磁束波を生成し、図５１Ｂに示すように、トレイ７３０を傾斜軸を中心に、物品７４６を排出するために（図５１Ａのように）水平に対して所定の角度θだけ傾斜させる。キャリッジレール７３８およびトレイ７３０内の磁石または鉄材料が十分に互いに引き合って、トレイが傾いたときにトレイがキャリッジから滑り落ちるのを防ぐ。ステータ７４４はまた、ガイドトラック７３６に沿って磁束波を軸方向（ｚ方向）に伝播させて、キャリッジ７３４を供給パイプ７２２と一直線上の第１の位置から、リターンパイプ７２４と一直線上の第２の位置へと並進させる。このようにしてトレイ７３０を戻すことができ、キャリッジ７３４がその傾斜軸に沿って並進する。
【００７４】
上下パイプコンベヤを図５２Ａ〜５２Ｃに示す。このバージョンでは、リターンパイプ７５０は入来パイプ７５２の下にある。キャリッジアセンブリは、アーム７６０によって接合された２対の平行なステータレール７５６、７５８を有する循環キャリッジ７５４を有する。レール７５６、７５８に平行なシャフトセグメント７６２が、アーム７６０をロータ７６４に接合する。外側ステータ７６６が、ロータ７６４およびステータレール７５６、７５８を１８０°の所定角度だけ回転させて、ステータレールを上下のパイプ７５２、７５４と一直線上に交互に配置する。図５２Ｂのようにキャリッジ７５４が傾動すると、物品７４６がトレイ７３０から落下する。キャリッジ７５４がその１８０°回転を完了すると、２対のレールが１８０°回転的に分離されているので、キャリッジステータレール７５６、７５８の両方の組が上下のパイプ７５２、７５４と整列する。これらのステータレールが励起されて、トレイ７３０を上側パイプ７５２用の上側レール７５６上へと誘導し、そしてトレイを上下逆さまで戻すために下側レール７５８上に戻す。パイプ７５４の天井７５９は、上下反転の搬送面を形成する。下側リターンパイプ７６０の開口端に取り付けられたスクレーパ７６０が、キャリッジ７５４に沿って推進されるときに上下反転トレイ７３０の物品支持面７６２に付着する破片を掻き取るように配置されている。上下反転トレイ７３０は、説明した他のコンベヤと同様に、磁石および鉄要素によってキャリッジ７５４から落下するのが防止される。
【００７５】
上側搬送路と下側戻り路を有するエンドレスコンベヤ７６９が図５３に示されている。上側搬送路７７０は、図１のものと同様の一対のステータレール７７２、７７４と、図１のものと同様の推進トレイ７３０とを具える。下側戻り路７７６は、一対の上下反転したステータレール７７８、７８０を有する。本例では、搬送路７７２と戻り路の両方が同じフレーム７８２に支持されている。コンベヤ両端のキャリッジアセンブリ内でキャリッジ７８４を回転させると、搬送トレイ７３０が搬送路７７０と戻り路７７６との間で移動して、エンドレス搬送路を形成する。各キャリッジ７８４は、４対の平行なステータレール７８６を有する。４本の右側レールは右側正方形７８８を画定し、４本の左側レールは左側正方形７９０を画定する。正方形７８８、７９０は、シャフト７９２によってモータ７９４に連結されている。モータは、キャリッジ７８４を所定の９０°刻みで回転させ、それによって４対のレール７８６のうちの１つが搬送路７７０と整列し、反対側の対のレールが戻り路７７６と整列するように停止する。搬送路７７０および戻り路と整列したステータレール７８６は、トレイ７３０を搬送路上へと排出し、戻り路からトレイを誘導するように作動される。キャリッジと戻り路レール７８６、７７８、７８０内およびトレイ７３０内の引き寄せられた磁性材料と鉄材料が、上下反転または傾斜したトレイが落下するのを防止する。図５２Ａ〜５２Ｃのキャリッジ７５４のようなキャリッジを、図５３のコンベヤと共に使用することができ、またはその逆もしかりである。
【００７６】
図３３のようなコンベヤセグメント５００および図２９Ａのようなスカートレストレイ４５０用のエンドレスコンベヤ９２０が、図６０に示されている。４つの垂直ガイドトラック９２２に沿ったコンベヤステータが、コンベヤ９０２の両端にエレベータ９２４を形成している。各エレベータはキャリッジ９２６を昇降させて、トレイ４５０を上側トレイ搬送路９２８と下側トレイ戻り路９２９との間で移送する。キャリッジの埋設されたステータが、搬送路または戻り路からキャリッジ９２６上にトレイ４５０を誘導する。その後、エレベータ９２４がキャリッジおよび支持されたトレイを上昇または下降させる間に、キャリッジステータの電源が切られる。キャリッジ９２６が搬送路９２８または戻り路９２９と整列すると、キャリッジステータが逆位相で再励起されて、トレイ４５０を搬送路または戻り路に出し入れする。次に、エレベータ９２４がキャリッジ９２６を所定の位置に昇降させて次のトレイ４５０を受け取る。このキャリッジ９２６は図４１のキャリッジ５５８と同様であるが、各コーナーのトランスレータハウジング９３０には単軸の垂直トランスレータのみを使用する。トランスレータハウジング９３０はガイドトラック９２２に乗る。搬送路９２８と戻り路９２９の両方が、コンベヤトレイ４５０のための浮揚トレイガイドを提供する１以上のコンベヤセグメント５００から構成される。
【図１】
2019536710.tif 000003
【図２】
2019536710.tif 000004
【図３】
2019536710.tif 000005
【図４】
2019536710.tif 000006
【図５】
2019536710.tif 000007
【図６】
2019536710.tif 000008
【図７】
2019536710.tif 000009
【図８】
2019536710.tif 000010
【図９】
2019536710.tif 000011
【図１０】
2019536710.tif 000012
【図１１】
2019536710.tif 000013
【図１２Ａ】
2019536710.tif 000014
【図１２Ｂ】
2019536710.tif 000015
【図１２Ｃ】
2019536710.tif 000016
【図１２Ｄ】
2019536710.tif 000017
【図１３】
2019536710.tif 000018
【図１４Ａ】
2019536710.tif 000019
【図１４Ｂ】
2019536710.tif 000020
【図１４Ｃ】
2019536710.tif 000021
【図１５Ａ】
2019536710.tif 000022
【図１５Ｂ】
2019536710.tif 000023
【図１５Ｃ】
2019536710.tif 000024
【図１６】
2019536710.tif 000025
【図１７】
2019536710.tif 000026
【図１８Ａ】
2019536710.tif 000027
【図１８Ｂ】
2019536710.tif 000028
【図１９】
2019536710.tif 000029
【図２０Ａ】
2019536710.tif 000030
【図２０Ｂ】
2019536710.tif 000031
【図２０Ｃ】
2019536710.tif 000032
【図２１Ａ】
2019536710.tif 000033
【図２１Ｂ】
2019536710.tif 000034
【図２１Ｃ】
2019536710.tif 000035
【図２２Ａ】
2019536710.tif 000036
【図２２Ｂ】
2019536710.tif 000037
【図２２Ｃ】
2019536710.tif 000038
【図２２Ｄ】
2019536710.tif 000039
【図２３Ａ】
2019536710.tif 000040
【図２３Ｂ】
2019536710.tif 000041
【図２３Ｃ】
2019536710.tif 000042
【図２４】
2019536710.tif 000043
【図２５】
2019536710.tif 000044
【図２６Ａ】
2019536710.tif 000045
【図２６Ｂ】
2019536710.tif 000046
【図２６Ｃ】
2019536710.tif 000047
【図２６Ｄ】
2019536710.tif 000048
【図２７】
2019536710.tif 000049
【図２８】
2019536710.tif 000050
【図２９Ａ】
2019536710.tif 000051
【図２９Ｂ】
2019536710.tif 000052
【図３０】
2019536710.tif 000053
【図３１】
2019536710.tif 000054
【図３２Ａ】
2019536710.tif 000055
【図３２Ｂ】
2019536710.tif 000056
【図３３】
2019536710.tif 000057
【図３４】
2019536710.tif 000058
【図３５】
2019536710.tif 000059
【図３６】
2019536710.tif 000060
【図３７】
2019536710.tif 000061
【図３８】
2019536710.tif 000062
【図３９】
2019536710.tif 000063
【図４０】
2019536710.tif 000064
【図４１】
2019536710.tif 000065
【図４２】
2019536710.tif 000066
【図４３】
2019536710.tif 000067
【図４４】
2019536710.tif 000068
【図４５】
2019536710.tif 000069
【図４５Ａ】
2019536710.tif 000070
【図４６】
2019536710.tif 000071
【図４６Ａ】
2019536710.tif 000072
【図４７】
2019536710.tif 000073
【図４８】
2019536710.tif 000074
【図４９】
2019536710.tif 000075
【図５０】
2019536710.tif 000076
【図５１Ａ】
2019536710.tif 000077
【図５１Ｂ】
2019536710.tif 000078
【図５２Ａ】
2019536710.tif 000079
【図５２Ｂ】
2019536710.tif 000080
【図５２Ｃ】
2019536710.tif 000081
【図５３】
2019536710.tif 000082
【図５４】
2019536710.tif 000083
【図５５】
2019536710.tif 000084
【図５６】
2019536710.tif 000085
【図５７】
2019536710.tif 000086
【図５８】
2019536710.tif 000087
【図５９】
2019536710.tif 000088
【図６０】
2019536710.tif 000089
【国際調査報告】
2019536710.tif 000090
2019536710.tif 000091
2019536710.tif 000092